(57)【要約】  通信チャネルを介して送信される物理層データユニット（ＰＨＹ）を生成する方法において、前方誤り訂正（ＦＥＣ）エンコーダを使用して、ＰＨＹデータユニットに含められる複数の情報ビットが符号化される。複数の情報ビットが複数のコンスタレーションシンボルにマッピングされる。ブロック符号化スキームに従って複数の情報ビットが符号化される、又は、ブロック符号化スキームに従って、複数のコンスタレーションシンボルを符号化される。更に、複数のコンスタレーションシンボルを含めるべく、複数の直交周波数分割多重（ＯＦＤＭ）シンボルが生成され、複数のＯＦＤＭシンボルを含めるべくＰＨＹデータユニットが生成される。【選択図】図１５Ａ
2014506088.tif 000002
【特許請求の範囲】
【請求項１】
通信チャネルを介して送信される物理層（ＰＨＹ）データユニットを生成する方法であって、
前方誤り訂正（ＦＥＣ）エンコーダを使用して、前記ＰＨＹデータユニットに含められる複数の情報ビットを符号化する段階と、
前記複数の情報ビットを複数のコンスタレーションシンボルにマッピングする段階と、
前記複数のコンスタレーションシンボルを含めるべく、複数の直交周波数分割多重（ＯＦＤＭ）シンボルを生成する段階と、
前記複数のＯＦＤＭシンボルを含めるべく前記ＰＨＹデータユニットを生成する段階とを備え、
前記方法は更に、
（ｉ）ブロック符号化スキームに従って前記複数の情報ビットを符号化する段階、又は、
（ｉｉ）前記ブロック符号化スキームに従って、前記複数のコンスタレーションシンボルを符号化する段階、のうちの一つを実行する段階を備える方法。
【請求項２】
前記ブロック符号化スキームに従って前記複数の情報ビットを符号化する段階は、
前記複数の情報ビットの各ビットの複数のコピーを生成する段階を有する請求項１に記載の方法。
【請求項３】
前記複数の情報ビットの各ビットが、連続してｍ回連続して繰り返される請求項２に記載の方法。
【請求項４】
ｎ個の情報ビットからなるブロックがそれぞれ、ｍ回連続して繰り返される請求項２に記載の方法。
【請求項５】
ｎビットからなるブロックそれぞれにおける前記複数の情報ビットをインターリーブする段階を更に備える請求項２に記載の方法。
【請求項６】
各ビットの前記複数のコピーの１以上のビットをフリップする段階を更に備える請求項２に記載の方法。
【請求項７】
前記ブロック符号化スキームに従って前記複数の情報ビットを符号化する段階は、
前記複数の情報ビットを、ｎビットの複数のブロックに分ける段階と、
前記ｎビットのブロックそれぞれにおける各ビットをｍ回繰り返して、ｍ×ｎビットを生成する段階とを有する請求項１に記載の方法。
【請求項８】
所定のコードに従って、前記ｍ×ｎビットをインターリーブする段階を更に備える請求項7に記載の方法。
【請求項９】
前記ブロック符号化スキームに従って前記複数の情報ビットを符号化する段階は、
ハミングコードに従って前記複数の情報ビットを符号化することを含む請求項１に記載の方法。
【請求項１０】
前記ブロック符号化スキームに従って前記複数の情報ビットを符号化する段階は、２値畳み込みエンコーダ（ＢＣＣエンコーダ）を使用して前記複数の情報ビットを符号化する段階の後に実行される請求項１に記載の方法。
【請求項１１】
前記ブロック符号化スキームに従って前記複数の情報ビットを符号化する段階は、ＢＣＣエンコーダを使用して前記複数の情報ビットを符号化する段階の前に実行される請求項１に記載の方法。
【請求項１２】
前記複数の情報ビットの少なくとも一部は、前記ＰＨＹデータユニットのデータ部分に対応する請求項１から１１のいずれか一項に記載の方法。
【請求項１３】
前記ＰＨＹデータユニットを生成する段階は更に、
プリアンブルを前記ＰＨＹデータユニットに含める段階を有し、
前記複数の情報ビットの別の部分が、前記プリアンブルの信号フィールドに対応している請求項１２に記載の方法。
【請求項１４】
前記ＦＥＣエンコーダを使用して、前記複数の情報ビットを符号化する段階は、
２値畳み込みエンコーダ（ＢＣＣエンコーダ）を使用して前記複数の情報ビットを符号化することを含む請求項１から１３の何れか一項に記載の方法。
【請求項１５】
前記ＦＥＣエンコーダを使用して、前記複数の情報ビットを符号化する段階は、
低密度パリティ検査（ＬＤＰＣ）エンコーダを使用して前記複数の情報ビットを符号化することを含む請求項１から１３の何れか一項に記載の方法。
【請求項１６】
通信チャネルを介して送信される物理層（ＰＨＹ）データユニットを生成する装置であって、
前記ＰＨＹデータユニットに含められる複数の情報ビットを符号化する前方誤り訂正（ＦＥＣ）エンコーダと、
前記複数の情報ビットを複数のコンスタレーションシンボルにマッピングするコンスタレーションマッパと、
ネットワークインターフェースとを備え、
前記ネットワークインターフェースは、
前記複数のコンスタレーションシンボルを含めるべく、複数の直交周波数分割多重（ＯＦＤＭ）シンボルを生成する段階と、
前記複数のＯＦＤＭシンボルを含めるべく前記ＰＨＹデータユニットを生成する段階とを実行し、
前記ネットワークインターフェースは更に、
（ｉ）ブロック符号化スキームに従って前記複数の情報ビットを符号化する段階、又は、
（ｉｉ）前記ブロック符号化スキームに従って、前記複数のコンスタレーションシンボルを符号化する段階、のうちの一つを実行する装置。
【請求項１７】
前記ブロック符号化スキームに従って前記複数の情報ビットを符号化する段階は、
前記複数の情報ビットの各ビットの複数のコピーを生成する段階を有する請求項１６に記載の装置。
【請求項１８】
前記複数の情報ビットの各ビットが、連続してｍ回連続して繰り返される請求項１７に記載の装置。
【請求項１９】
ｎ個の情報ビットからなるブロックがそれぞれ、ｍ回連続して繰り返される請求項１７に記載の装置。
【請求項２０】
前記ネットワークインターフェースは、ｎビットからなるブロックそれぞれにおける前記複数の情報ビットをインターリーブする請求項１７に記載の装置。
【請求項２１】
各ビットの前記複数のコピーの１以上のビットをフリップするピーク対平均電力比（ＰＡＰＲ）低減ユニットを更に備える請求項１７に記載の装置。
【請求項２２】
前記ブロック符号化スキームに従って前記複数の情報ビットを符号化する段階は、
前記複数の情報ビットを、ｎビットの複数のブロックに分ける段階と、
前記ｎビットのブロックそれぞれにおける各ビットをｍ回繰り返して、ｍ×ｎビットを生成する段階とを有する請求項１６に記載の装置。
【請求項２３】
前記ネットワークインターフェースは、所定のコードに従って、前記ｍ×ｎビットをインターリーブする請求項２２に記載の装置。
【請求項２４】
前記ブロック符号化スキームに従って前記複数の情報ビットを符号化する段階は、
ハミングコードに従って前記複数の情報ビットを符号化することを含む請求項１６に記載の装置。
【請求項２５】
前記ブロック符号化スキームに従って前記複数の情報ビットを符号化する段階は、２値畳み込みエンコーダ（ＢＣＣエンコーダ）を使用して前記複数の情報ビットを符号化する段階の後に実行される請求項１６に記載の装置。
【請求項２６】
前記ブロック符号化スキームに従って前記複数の情報ビットを符号化する段階は、ＢＣＣエンコーダを使用して前記複数の情報ビットを符号化する段階の前に実行される請求項１６に記載の装置。
【請求項２７】
前記複数の情報ビットの少なくとも一部は、前記ＰＨＹデータユニットのデータ部分に対応する請求項１６から２６の何れか一項に記載の装置。
【請求項２８】
前記ＰＨＹデータユニットを生成する段階は更に、
プリアンブルを前記ＰＨＹデータユニットに含める段階を有し、
前記複数の情報ビットの別の部分が、前記プリアンブルの信号フィールドに対応している請求項２７に記載の装置。
【請求項２９】
前記ＦＥＣエンコーダは、２値畳み込みエンコーダ（ＢＣＣエンコーダ）を含む請求項１６から２８の何れか一項に記載の装置。
【請求項３０】
前記ＦＥＣエンコーダは、低密度パリティ検査（ＬＤＰＣ）エンコーダを含む請求項１６から２８の何れか一項に記載の装置。
【請求項３１】
第１データユニットの第１プリアンブルを生成する段階と、
第１データユニット形式に従って、前記第１プリアンブルを含む前記第１データユニットを生成する段階と、
第２データユニットの第２プリアンブルを生成する段階と、
第２データユニット形式に従って、前記第２プリアンブルを含む前記第２データユニットを生成する段階と、を備え、
前記第１プリアンブルは、（ｉ）第１ロングトレーニングフィールド及び（ｉｉ）第１信号フィールドを含み、
前記第１信号フィールドは、前記第１データユニットを解析するための情報を提供し、
前記第１信号フィールドは、第１変調技術に従って変調され、
前記第２プリアンブルは、第２信号フィールドを含む
前記第２信号フィールドは、前記第２データユニットを解析するための情報を提供し、
前記第２プリアンブルは、第２ロングトレーニングフィールドを含み、
前記第２プリアンブルを生成する段階は、
（ｉ）前記第２信号フィールドの期間が、前記第１信号フィールドの期間よりも長くなるように、前記第２信号フィールドにおける情報を繰り返す段階、及び、
（ｉｉ）前記第２信号フィールドの期間が、前記第１信号フィールドの期間よりも長くなるように、前記第２ロングトレーニングフィールドを生成する段階、のうちの少なくとも１つを有し、
前記第２プリアンブルを生成する段階は、
（ｉ）前記第２データユニットが前記第１データユニット形式とは異なる第２データユニット形式に従ってフォーマットされていることを受信機に通知するべく、前記第１変調技術とは異なる第２変調技術に従って、前記第２信号フィールドの一部分を変調する段階、及び、
（ｉｉ）前記第２データユニットが前記第２データユニット形式に従ってフォーマットされていることを前記受信機に通知するべく、前記第２変調技術に従って、前記第２ロングトレーニングフィールドの一部分を変調する段階、のうちの一つを有する、方法。
【請求項３２】
前記第１信号フィールドは、１つの直交周波数領域多重（ＯＦＤＭ）シンボルのみにわたるように生成され、
前記第２信号フィールドは、２つのＯＦＤＭシンボルにわたるように生成される請求項３１に記載の方法。
【請求項３３】
前記第２プリアンブルを生成する段階は、
（ｉ）前記第１変調技術に従って、前記第２信号フィールドの追加部分を変調する段階、又は、
（ｉｉ）前記第１変調技術に従って、前記第２ロングトレーニングフィールドの追加部分を変調する段階、のうちの一つを有する請求項３１又は３２に記載の方法。
【請求項３４】
前記第２ロングトレーニングフィールドは、第１ＯＦＤＭシンボル及び第２ＯＦＤＭシンボルを含み、
前記第２ＯＦＤＭシンボルの各ＯＦＤＭトーンは、前記第１ＯＦＤＭシンボルの対応するトーンと比較して、位相シフトされている請求項３１から３３の何れか一項に記載の方法。
【請求項３５】
前記第１プリアンブルは、前記第１データユニットを解析するための情報を提供する第３信号フィールドを含むように生成され、
前記第２プリアンブルは、前記第２データユニットを解析するための情報を提供する第４信号フィールドを含むように生成され、
前記第２プリアンブルを生成する段階は、
前記第４信号フィールドの期間が前記第３信号フィールドの期間よりも長くなるように、前記第４信号フィールドにおける情報を繰り返す段階を有する請求項３１から３４の何れか一項に記載の方法。
【請求項３６】
前記第３信号フィールドは、１つの直交周波数領域多重（ＯＦＤＭ）シンボルのみにわたるように生成され、
前記第４信号フィールドは、２つのＯＦＤＭシンボルにわたるように生成される請求項３５に記載の方法。
【請求項３７】
前記第１プリアンブルを生成する段階は、前記第１変調技術に従って前記第３信号フィールドを変調する段階を有し、
前記第２プリアンブルを生成する段階は、前記第２変調技術に従って前記第４信号フィールドを変調する段階を有する請求項３５又は３６に記載の方法。
【請求項３８】
前記第１変調技術は、四位相二位相偏移変調（ＱＢＰＳＫ）であり、
前記第２変調技術は、二位相偏移変調（ＢＰＳＫ）である請求項３１から３７の何れか一項に記載の方法。
【請求項３９】
前記第１変調技術は、二位相偏移変調（ＢＰＳＫ）であり、
前記第２変調技術は、四位相二位相偏移変調（ＱＢＰＳＫ）である請求項３１から３７の何れか一項に記載の方法。
【請求項４０】
前記第１プリアンブルは、前記第１データユニットの検出を容易にするべく、第１ショートトレーニングフィールド（ＳＴＦ）を含むように生成され、
前記第２プリアンブルは、前記第２データユニットの検出を容易にするべく、第２ＳＴＦを含むように生成され、
前記第２ＳＴＦは、前記第１ＳＴＦの期間よりも長い期間を有する請求項３１から３９の何れか一項に記載の方法。
【請求項４１】
前記第２信号フィールドは、Ｎｕｌｌデータパケット（ＮＤＰ）情報を含み、
前記ＮＤＰ情報は、前記第２データユニットが、データ部分を含まないことを示す請求項３１から４０の何れか一項に記載の方法。
【請求項４２】
前記第２信号フィールドは、テールビットを含まず、
前記第２信号フィールドにおける情報を繰り返す段階は、前記情報が繰り返された後に、１以上のテールビットを付加する段階を有する請求項３１から４１の何れか一項に記載の方法。
【請求項４３】
前記第１データユニットを送信させる段階と、
前記第２データユニットを送信させる段階とを更に備える請求項３１から４２の何れか一項に記載の方法。
【請求項４４】
前記第１データユニットを送信する段階と、
前記第２データユニットを送信する段階とを更に備える請求項３１から４２の何れか一項に記載の方法。
【請求項４５】
ネットワークインターフェースを備える装置であって、
前記ネットワークインターフェースは、
第１データユニットの第１プリアンブルを生成し、
第１データユニット形式に従って、前記第１プリアンブルを含む前記第１データユニットを生成し、
第２データユニットの第２プリアンブルを生成し、
第２データユニット形式に従って、前記第２プリアンブルを含む前記第２データユニットを生成し、
前記第１プリアンブルは、（ｉ）第１ロングトレーニングフィールド及び（ｉｉ）第１信号フィールドを含み、
前記第１信号フィールドは、前記第１データユニットを解析するための情報を提供し、
前記第１信号フィールドは、第１変調技術に従って変調され、
前記第２プリアンブルは、第２信号フィールドを含み、
前記第２信号フィールドは、前記第２データユニットを解析するための情報を提供し、
前記第２プリアンブルは、第２ロングトレーニングフィールドを含み、
前記ネットワークインターフェースは、
（ｉ）前記第２信号フィールドの期間が、前記第１信号フィールドの期間よりも長くなるように、前記第２信号フィールドにおける情報を繰り返す段階、及び、
（ｉｉ）前記第２信号フィールドの期間が、前記第１信号フィールドの期間よりも長くなるように、前記第２ロングトレーニングフィールドを生成する段階、のうちの少なくとも１つを実行し、
前記ネットワークインターフェースは、
（ｉ）前記第２データユニットが前記第１データユニット形式とは異なる第２データユニット形式に従ってフォーマットされていることを受信機に通知するべく、前記第１変調技術とは異なる第２変調技術に従って、前記第２信号フィールドの一部分を変調する段階、及び、
（ｉｉ）前記第２データユニットが前記第２データユニット形式に従ってフォーマットされていることを前記受信機に通知するべく、前記第２変調技術に従って、前記第２ロングトレーニングフィールドの一部分を変調する段階、のうちの一つを実行する装置。
【請求項４６】
前記ネットワークインターフェースは、
１つの直交周波数領域多重（ＯＦＤＭ）シンボルのみにわたるように前記第１信号フィールドを生成し、
２つのＯＦＤＭシンボルにわたるように前記第２信号フィールドを生成する請求項４５に記載の装置。
【請求項４７】
（ｉ）前記ネットワークインターフェースは、前記第１変調技術に従って、前記第２信号フィールドの追加部分を変調する、又は、
（ｉｉ）前記ネットワークインターフェースは、前記第１変調技術に従って、前記第２ロングトレーニングフィールドの追加部分を変調する、請求項４５又は４６に記載の装置。
【請求項４８】
前記第２ロングトレーニングフィールドは、第１ＯＦＤＭシンボル及び第２ＯＦＤＭシンボルを含み、
前記第２ＯＦＤＭシンボルの各ＯＦＤＭトーンは、前記第１ＯＦＤＭシンボルの対応するトーンと比較して、位相シフトされている請求項４５から４７の何れか一項に記載の装置。
【請求項４９】
前記ネットワークインターフェースは、
前記第１データユニットを解析するための情報を提供する第３信号フィールドを含むように前記第１プリアンブルを生成し、
前記第２データユニットを解析するための情報を提供する第４信号フィールドを含むように前記第２プリアンブルを生成し、
前記第４信号フィールドの期間が前記第３信号フィールドの期間よりも長くなるように、前記第４信号フィールドにおける情報を繰り返す請求項４５から４８の何れか一項に記載の装置。
【請求項５０】
前記ネットワークインターフェースは、
１つの直交周波数領域多重（ＯＦＤＭ）シンボルのみにわたるように前記第３信号フィールドを生成し、
２つのＯＦＤＭシンボルにわたるように前記第４信号フィールドを生成する請求項４９に記載の装置。
【請求項５１】
前記ネットワークインターフェースは、
前記第１変調技術に従って前記第３信号フィールドを変調し、
前記第２変調技術に従って前記第４信号フィールドを変調する請求項４９又は５０に記載の装置。
【請求項５２】
前記ネットワークインターフェースは、
前記第１データユニットの検出を容易にするべく、第１ショートトレーニングフィールド（ＳＴＦ）を含むように前記第１プリアンブルを生成し、
前記第２データユニットの検出を容易にするべく、第２ＳＴＦを含むように前記第２プリアンブルを生成し、
前記第２ＳＴＦは、前記第１ＳＴＦの期間よりも長い期間を有する請求項４５から５１の何れか一項に記載の装置。
【請求項５３】
前記第２信号フィールドは、Ｎｕｌｌデータパケット（ＮＤＰ）情報を含み、
前記ＮＤＰ情報は、前記第２データユニットが、データ部分を含まないことを示す請求項４５から５２の何れか一項に記載の装置。
【請求項５４】
前記第２信号フィールドは、テールビットを含まず、
前記ネットワークインターフェースは、前記第２信号フィールドにおける情報を繰り返した後に、１以上のテールビットを付加する請求項４５から５３の何れか一項に記載の装置。
【請求項５５】
前記ネットワークインターフェースは、
前記第１データユニットを送信させ、
前記第２データユニットを送信させる請求項４５から５４の何れか一項に記載の装置。
【請求項５６】
前記ネットワークインターフェースは、
前記第１データユニットを送信し、前記第２データユニットを送信する送受信機を有する請求項４５から５４の何れか一項に記載の装置。
【発明の詳細な説明】
【技術分野】
【０００１】
本発明は、概して、通信ネットワークに関し、より詳細には、長距離低電力無線ローカルエリアネットワークに関する。
【０００２】
［優先権情報］
本開示は、２０１１年２月４日出願の米国仮出願第61/439,777号"11ah OFDM Low Rate PHY"、２０１１年２月８日出願の米国仮出願第61/440,804号"11ah OFDM Low Rate PHY"、２０１１年３月１８日出願の米国仮出願第61/454,444号"11ah OFDM Low Rate PHY"、２０１１年４月１９日出願の米国仮出願第61/477,076号"11ah OFDM Low Rate PHY"、２０１１年４月２８日出願の米国仮出願第61/480,238号"11ah OFDM Low Rate PHY"、２０１１年５月２６日出願の米国仮出願第61/490,447号"11ah OFDM Low Rate PHY"、２０１１年６月２日出願の米国仮出願第61/492,464号"11ah OFDM Low Rate PHY"、２０１１年６月２２日出願の米国仮出願第61/499,964号"11ah OFDM Low Rate PHY"、２０１１年６月２３日出願の米国仮出願第61/500,505号"11ah OFDM Low Rate PHY"、２０１１年８月４日出願の米国仮出願第61/515,244号"11ah OFDM Low Rate PHY"、及び、２０１１年８月１６日出願の米国仮出願第61/524,263号"11ah OFDM Low Rate PHY"、の優先権を主張するものであり、前記出願の内容は、参照により本明細書に組み込まれる。
【背景技術】
【０００３】
本発明の理解するための背景を、一般的に説明することを目的として、背景技術を説明する。以下、背景技術の章において説明される範囲及び出願時には従来技術として認められていない側面の範囲において、本願発明者の仕事は、本開示に対して明示的に又は非明示的にも、従来技術であるとは認めていない。
【０００４】
無線ローカルエリアネットワーク（ＷＬＡＮ）は、インフラストラクチャモードで動作する場合、通常、１つのアクセスポイント（ＡＰ）及び１以上のクライアント局を備える。ＷＬＡＮは、過去１０年で飛躍的に発展した。電気電子技術者協会（ＩＥＥＥ）８０２．１１ａ、８０２．１１ｂ、８０２．１１ｇ及び８０２．１１ｎ規格のような無線ローカルエリアネットワーク（ＷＬＡＮ）規格により、シングルユーザ・ピークデータスループットの改善がなされてきた。例えば、ＩＥＥＥ８０２．１１ｂ規格では、１１メガビット／秒（Ｍｂｐｓ）のシングルユーザスループットが規定されており、ＩＥＥＥ８０２．１１ａ及び８０２．１１ｇ規格では、５４Ｍｂｐｓのシングルユーザスループットが規定されており、ＩＥＥＥ８０２．１１ｎ規格では、６００Ｍｂｐｓのシングルユーザスループットが規定されており、ＩＥＥＥ８０２．１１ａｃ格では、ギガビット／秒（Ｇｂｐｓ）の範囲のシングルユーザスループットが規定されている。
【０００５】
サブ１ＧＨｚ周波数で動作する無線ネットワークを規定する新たな規格であるＩＥＥＥ８０２．１１ａｈ及びＩＥＥＥ８０２．１１ａｆについての検討も進められている。低い周波数の通信チャネルは一般的に、良好な伝播特性を有し、高い周波数での伝送と比較して、広い伝播範囲を有する。これまで、サブ１ＧＨｚ領域は、別の用途（例えば、テレビの周波数帯域、無線周波数帯域等）に割り当てられており、無線通信ネットワークでは利用されてこなかった。サブ１ＧＨｚ領域で割り当てられていない未使用の周波数帯が僅かに存在し、異なる地理的領域では未使用の周波数が異なる。ＩＥＥＥ８０２．１１ａｈ規格は、利用可能なサブ１ＧＨｚ周波数帯での無線オペレーションを規定している。ＩＥＥＥ８０２．１１ａｆ規格は、テレビのホワイトスペース（ＴＶＷＳ）、すなわち、サブ１ＧＨｚ周波数帯で利用されていないＴＶチャネルでの無線オペレーションを規定している。
【発明の概要】
【０００６】
一実施形態において、通信チャネルを介して送信される物理層データユニット（ＰＨＹ）を生成する方法は、前方誤り訂正（ＦＥＣ）エンコーダを使用して、ＰＨＹデータユニットに含められる複数の情報ビットを符号化する段階を備える。方法はまた、複数の情報ビットを複数のコンスタレーションシンボルにマッピングする段階を備える。方法は更に、複数のコンスタレーションシンボルを含めるべく、複数の直交周波数分割多重（ＯＦＤＭ）シンボルを生成する段階と、複数のＯＦＤＭシンボルを含めるべくＰＨＹデータユニットを生成する段階とを備える。方法は更に、（ｉ）ブロック符号化スキームに従って複数の情報ビットを符号化する段階、又は、（ｉｉ）ブロック符号化スキームに従って、複数のコンスタレーションシンボルを符号化する段階、のうちの一つを実行する段階を備える。
【０００７】
別の実施形態では、方法は更に、次に示すような特徴の１以上を含む。
【０００８】
ブロック符号化スキームに従って複数の情報ビットを符号化する段階は、複数の情報ビットの各ビットの複数のコピーを生成する段階を有する。
【０００９】
複数の情報ビットの各ビットが、連続してｍ回連続して繰り返される。
【００１０】
ｎ個の情報ビットからなるブロックがそれぞれ、ｍ回連続して繰り返される。
【００１１】
方法は更に、ｎビットからなるブロックそれぞれにおける複数の情報ビットをインターリーブする段階を更に備える。
【００１２】
方法は更に、各ビットの複数のコピーの１以上のビットをフリップする段階を更に備える。
【００１３】
ブロック符号化スキームに従って複数の情報ビットを符号化する段階は、複数の情報ビットを、ｎビットの複数のブロックに分ける段階と、ｎビットのブロックそれぞれにおける各ビットをｍ回繰り返して、ｍ×ｎビットを生成する段階とを有する。
【００１４】
方法は更に、所定のコードに従って、ｍ×ｎビットをインターリーブする段階を更に備える。
【００１５】
ブロック符号化スキームに従って複数の情報ビットを符号化する段階は、ハミングコードに従って複数の情報ビットを符号化することを含む。
【００１６】
ブロック符号化スキームに従って複数の情報ビットを符号化する段階は、ＢＣＣエンコーダを使用して複数の情報ビットを符号化する段階の後に実行される。
【００１７】
ブロック符号化スキームに従って複数の情報ビットを符号化する段階は、ＢＣＣエンコーダを使用して複数の情報ビットを符号化する段階の前に実行される。
【００１８】
複数の情報ビットの少なくとも一部は、ＰＨＹデータユニットのデータ部分に対応する。
【００１９】
ＰＨＹデータユニットを生成する段階は更に、プリアンブルをＰＨＹデータユニットに含める段階を有し、複数の情報ビットの別の部分が、プリアンブルの信号フィールドに対応している。
【００２０】
ＦＥＣエンコーダを使用して、複数の情報ビットを符号化する段階は、２値畳み込みエンコーダ（ＢＣＣエンコーダ）を使用して複数の情報ビットを符号化することを含む。
【００２１】
ＦＥＣエンコーダを使用して、複数の情報ビットを符号化する段階は、低密度パリティ検査（ＬＤＰＣ）エンコーダを使用して複数の情報ビットを符号化する。
【００２２】
別の実施形態では、通信チャネルを介して送信される物理層データユニット（ＰＨＹ）を生成する装置は、ＰＨＹデータユニットに含められる複数の情報ビットを符号化する前方誤り訂正（ＦＥＣ）エンコーダを備える。装置はまた、複数の情報ビットを複数のコンスタレーションシンボルにマッピングするコンスタレーションマッパを備える。装置は更に、ネットワークインターフェースを備え、ネットワークインターフェースは、複数のコンスタレーションシンボルを含めるべく、複数の直交周波数分割多重（ＯＦＤＭ）シンボルを生成する段階と、複数のＯＦＤＭシンボルを含めるべくＰＨＹデータユニットを生成する段階とを実行する。ネットワークインターフェースは、更に、（ｉ）ブロック符号化スキームに従って複数の情報ビットを符号化する段階、又は、（ｉｉ）ブロック符号化スキームに従って、複数のコンスタレーションシンボルを符号化する段階、のうちの一つを実行する。
【００２３】
別の実施形態では、装置は更に、次に示す特徴のうちの１以上を備える。
【００２４】
ブロック符号化スキームに従って複数の情報ビットを符号化する段階は、複数の情報ビットの各ビットの複数のコピーを生成する段階を有する。
【００２５】
複数の情報ビットの各ビットが、連続してｍ回連続して繰り返される。
【００２６】
ｎ個の情報ビットからなるブロックがそれぞれ、ｍ回連続して繰り返される。
【００２７】
ネットワークインターフェースは、ｎビットからなるブロックそれぞれにおける複数の情報ビットをインターリーブする。
【００２８】
各ビットの複数のコピーの１以上のビットをフリップするピーク対平均電力比（ＰＡＰＲ）低減ユニットを更に備える。
【００２９】
ブロック符号化スキームに従って複数の情報ビットを符号化する段階は、複数の情報ビットを、ｎビットの複数のブロックに分ける段階と、ｎビットのブロックそれぞれにおける各ビットをｍ回繰り返して、ｍ×ｎビットを生成する段階とを有する。
【００３０】
ネットワークインターフェースは、所定のコードに従って、ｍ×ｎビットをインターリーブする。
【００３１】
ブロック符号化スキームに従って複数の情報ビットを符号化する段階は、ハミングコードに従って複数の情報ビットを符号化することを含む。
【００３２】
ブロック符号化スキームに従って前記複数の情報ビットを符号化する段階は、ＢＣＣエンコーダを使用して複数の情報ビットを符号化する段階の後に実行される。
【００３３】
ブロック符号化スキームに従って前記複数の情報ビットを符号化する段階は、ＢＣＣエンコーダを使用して前記複数の情報ビットを符号化する段階の前に実行される。
【００３４】
複数の情報ビットの少なくとも一部は、ＰＨＹデータユニットのデータ部分に対応する。
【００３５】
ＰＨＹデータユニットを生成する段階は更に、プリアンブルをＰＨＹデータユニットに含める段階を有し、複数の情報ビットの別の部分が、プリアンブルの信号フィールドに対応している。
【００３６】
ＦＥＣエンコーダは、２値畳み込みエンコーダ（ＢＣＣエンコーダ）を含む。
【００３７】
ＦＥＣエンコーダは、低密度パリティ検査（ＬＤＰＣ）エンコーダを含む。
【００３８】
更に別の実施形態では、方法は、第１データユニットの第１プリアンブルを生成する段階を備え、第１プリアンブルは、（ｉ）第１ロングトレーニングフィールド及び（ｉｉ）第１信号フィールドを含み、第１信号フィールドは、第１データユニットを解析するための情報を提供し、第１信号フィールドは、第１変調技術に従って変調される。方法は更に、第１データユニット形式に従って、第１プリアンブルを含む第１データユニットを生成する段階を備える。方法は更に、第２データユニットの第２プリアンブルを生成する段階を備え、第２プリアンブルは、第２信号フィールドを含み、第２信号フィールドは、第２データユニットを解析するための情報を提供し、また、第２プリアンブルは、第２ロングトレーニングフィールドを含む。第２プリアンブルを生成する段階は、（ｉ）第２信号フィールドの期間が、第１信号フィールドの期間よりも長くなるように、第２信号フィールドにおける情報を繰り返す段階、及び、（ｉｉ）第２信号フィールドの期間が、第１信号フィールドの期間よりも長くなるように、第２ロングトレーニングフィールドを生成する段階、のうちの少なくとも１つを含む。第２プリアンブルを生成する段階は、（ｉ）第２データユニットが第１データユニット形式とは異なる第２データユニット形式に従ってフォーマットされていることを受信機に通知するべく、第１変調技術とは異なる第２変調技術に従って、第２信号フィールドの一部分を変調する段階、及び、（ｉｉ）第２データユニットが第２データユニット形式に従ってフォーマットされていることを受信機に通知するべく、第２変調技術に従って、第２ロングトレーニングフィールドの一部分を変調する段階、のうちの一つを有する。方法は更に、第２データユニット形式に従って、第２プリアンブルを含む第２データユニットを生成する段階を備える。
【００３９】
その他の実施形態では、方法は更に、次に示す特徴のうちの１以上を備える。
【００４０】
第１信号フィールドは、１つの直交周波数領域多重（ＯＦＤＭ）シンボルのみにわたるように生成され、第２信号フィールドは、２つのＯＦＤＭシンボルにわたるように生成される。
【００４１】
第２プリアンブルを生成する段階は、（ｉ）第１変調技術に従って、第２信号フィールドの追加部分を変調する段階、又は、（ｉｉ）第１変調技術に従って、第２ロングトレーニングフィールドの追加部分を変調する段階、のうちの一つを有する。
【００４２】
第２ロングトレーニングフィールドは、第１ＯＦＤＭシンボル及び第２ＯＦＤＭシンボルを含み、第２ＯＦＤＭシンボルの各ＯＦＤＭトーンは、第１ＯＦＤＭシンボルの対応するトーンと比較して、位相シフトされている。
【００４３】
第１プリアンブルは、第１データユニットを解析するための情報を提供する第３信号フィールドを含むように生成され、第２プリアンブルは、第２データユニットを解析するための情報を提供する第４信号フィールドを含むように生成され、第２プリアンブルを生成する段階は、第４信号フィールドの期間が第３信号フィールドの期間よりも長くなるように、第４信号フィールドにおける情報を繰り返す段階を有する。
【００４４】
第３信号フィールドは、１つの直交周波数領域多重（ＯＦＤＭ）シンボルのみにわたるように生成され、第４信号フィールドは、２つのＯＦＤＭシンボルにわたるように生成される。
【００４５】
第１プリアンブルを生成する段階は、第１変調技術に従って第３信号フィールドを変調する段階を有し、第２プリアンブルを生成する段階は、第２変調技術に従って第４信号フィールドを変調する段階を有する。
【００４６】
第１変調技術は、四位相二位相偏移変調（ＱＢＰＳＫ）であり、第２変調技術は、二位相偏移変調（ＢＰＳＫ）である。
【００４７】
第１変調技術は、二位相偏移変調（ＢＰＳＫ）であり、第２変調技術は、四位相二位相偏移変調（ＱＢＰＳＫ）である。
【００４８】
第１プリアンブルは、第１データユニットの検出を容易にするべく、第１ショートトレーニングフィールド（ＳＴＦ）を含むように生成され、第２プリアンブルは、第２データユニットの検出を容易にするべく、第２ＳＴＦを含むように生成され、第２ＳＴＦは、第１ＳＴＦの期間よりも長い期間を有する。
【００４９】
第２信号フィールドは、Ｎｕｌｌデータパケット（ＮＤＰ）情報を含み、ＮＤＰ情報は、第２ＰＨＹデータユニットが、データ部分を含まないことを示す。
【００５０】
第２信号フィールドは、テールビットを含まず、第２信号フィールドにおける情報を繰り返す段階は、情報が繰り返された後に、１以上のテールビットを付加する段階を有する。
【００５１】
方法は、第１データユニットを送信させる段階と、第２データユニットを送信させる段階とを更に備える。
【００５２】
方法は、第１データユニットを送信する段階と、第２データユニットを送信する段階とを更に備える。
【００５３】
更なる別の実施形態では、ネットワークインターフェースを備える装置であって、ネットワークインターフェースは、第１データユニットの第１プリアンブルを生成し、第１プリアンブルは、（ｉ）第１ロングトレーニングフィールド及び（ｉｉ）第１信号フィールドを含み、第１信号フィールドは、第１データユニットを解析するための情報を提供し、第１信号フィールドは、第１変調技術に従って変調される。ネットワークインターフェースは、第１データユニット形式に従って、第１プリアンブルを含む第１データユニットを生成し、第２データユニットの第２プリアンブルを生成し、第２プリアンブルは、第２信号フィールドを含み、第２信号フィールドは、第２データユニットを解析するための情報を提供し、また、第２プリアンブルは、第２ロングトレーニングフィールドを含む。ネットワークインターフェースは、（ｉ）第２信号フィールドの期間が、第１信号フィールドの期間よりも長くなるように、第２信号フィールドにおける情報を繰り返す段階、及び、（ｉｉ）第２信号フィールドの期間が、第１信号フィールドの期間よりも長くなるように、第２ロングトレーニングフィールドを生成する段階、のうちの少なくとも一つを実行する。ネットワークインターフェースは、（ｉ）第２データユニットが第１データユニット形式とは異なる第２データユニット形式に従ってフォーマットされていることを受信機に通知するべく、第１変調技術とは異なる第２変調技術に従って、第２信号フィールドの一部分を変調する段階、及び、（ｉｉ）第２データユニットが第２データユニット形式に従ってフォーマットされていることを受信機に通知するべく、第２変調技術に従って、第２ロングトレーニングフィールドの一部分を変調する段階、のうちの一つを実行する。ネットワークインターフェースは、第２データユニット形式に従って、第２プリアンブルを含む第２データユニットを生成する。
【００５４】
別の実施形態では、装置は更に、以下に示す特徴の１以上を備える。
【００５５】
ネットワークインターフェースは、１つの直交周波数領域多重（ＯＦＤＭ）シンボルのみにわたるように第１信号フィールドを生成し、２つのＯＦＤＭシンボルにわたるように第２信号フィールドを生成する。
【００５６】
（ｉ）ネットワークインターフェースは、第１変調技術に従って、第２信号フィールドの追加部分を変調する、又は、（ｉｉ）ネットワークインターフェースは、第１変調技術に従って、第２ロングトレーニングフィールドの追加部分を変調する。
【００５７】
第２ロングトレーニングフィールドは、第１ＯＦＤＭシンボル及び第２ＯＦＤＭシンボルを含み、第２ＯＦＤＭシンボルの各ＯＦＤＭトーンは、第１ＯＦＤＭシンボルの対応するトーンと比較して、位相シフトされている。
【００５８】
ネットワークインターフェースは、第１データユニットを解析するための情報を提供する第３信号フィールドを含むように第１プリアンブルを生成し、第２データユニットを解析するための情報を提供する第４信号フィールドを含むように第２プリアンブルを生成し、第４信号フィールドの期間が第３信号フィールドの期間よりも長くなるように、第４信号フィールドにおける情報を繰り返す。
【００５９】
ネットワークインターフェースは、１つの直交周波数領域多重（ＯＦＤＭ）シンボルのみにわたるように第３信号フィールドを生成し、２つのＯＦＤＭシンボルにわたるように第４信号フィールドを生成する。
【００６０】
ネットワークインターフェースは、第１変調技術に従って第３信号フィールドを変調し、第２変調技術に従って第４信号フィールドを変調する。
【００６１】
ネットワークインターフェースは、第１データユニットの検出を容易にするべく、第１ショートトレーニングフィールド（ＳＴＦ）を含むように第１プリアンブルを生成し、第２データユニットの検出を容易にするべく、第２ＳＴＦを含むように第２プリアンブルを生成し、第２ＳＴＦは、第１ＳＴＦの期間よりも長い期間を有する。
【００６２】
第２信号フィールドは、Ｎｕｌｌデータパケット（ＮＤＰ）情報を含み、ＮＤＰ情報は、第２ＰＨＹデータユニットが、データ部分を含まないことを示す。
【００６３】
第２信号フィールドは、テールビットを含まず、ネットワークインターフェースは、第２信号フィールドにおける情報を繰り返した後に、１以上のテールビットを付加する。
【００６４】
ネットワークインターフェースは、第１データユニットを送信させ、第２データユニットを送信させる。
【００６５】
ネットワークインターフェースは、第１データユニットを送信し、第２データユニットを送信する送受信機を有する。
【図面の簡単な説明】
【００６６】
【図１】一実施形態に係る無線ローカルエリアネットワーク（ＷＬＡＮ）１０を示したブロック図である。
【図２Ａ】従来の直交周波数分割多重（ＯＦＤＭ）短距離データユニットを示した図である。
【図２Ｂ】従来の直交周波数分割多重（ＯＦＤＭ）短距離データユニットを示した図である。
【図３】従来の別のＯＦＤＭ短距離データユニットを示した図である。
【図４】別のＯＦＤＭ短距離データユニットを示した図である。
【図５】別の従来技術のＯＦＤＭ短距離データユニットを示した図である。
【図６】ＩＥＥＥ８０２．１１ｎ規格で規定される様々なプリアンブルフィールドの変調を示した図である。
【図７】従来のデータユニットのシンボルを変調するのに使用される変調を示した一連の図面である。
【図８】従来のシングルキャリア（ＳＣ）短距離データユニットを示した図である。
【図９】一実施形態に係るＯＦＤＭ長距離データユニットを示した図である。
【図１０】別の実施形態に係るＯＦＤＭ長距離データユニットを示した図である。
【図１１】一実施形態に係る通常モードＯＦＤＭ長距離データユニットを示した図である。
【図１２】別の実施形態に係る通常モードＯＦＤＭ長距離データユニットを示した図である。
【図１３】別の実施形態に係る通常モードＯＦＤＭ長距離データユニットを示した図である。
【図１４】一実施形態に係る、通常モードデータユニットを生成するためのＰＨＹ処理ユニットの一例を示したブロック図である。
【図１５Ａ】一実施形態に係る、制御モードデータユニットを生成するためのＰＨＹ処理ユニットの一例を示したブロック図である。
【図１５Ｂ】別の実施形態に係る、制御モードデータユニットを生成するためのＰＨＹ処理ユニットの一例を示したブロック図である。
【図１６Ａ】一実施形態に係る、信号フィールドフォーマットの一例を示した図である。
【図１６Ｂ】一実施形態に係る、ブロック符号化された図１６Ａの信号フィールドを示した図である。
【図１７Ａ】別の実施形態に係る、信号フィールド形式の別の例を示した図である。
【図１７Ｂ】一実施形態に係る、ブロック符号化された図１７Ａの信号フィールドを示した図である。
【図１７Ｃ】更なる別の実施形態に係る、信号フィールド形式の別の例を示した図である。
【図１７Ｄ】更なる別の実施形態に係る、信号フィールド形式の別の例を示した図である。
【図１８Ａ】別の実施形態に係る、制御モードデータユニットを生成するためのＰＨＹ処理ユニットの一例を示したブロック図である。
【図１８Ｂ】別の実施形態に係る、制御モードデータユニットを生成するためのＰＨＹ処理ユニットの一例を示したブロック図である。
【図１９Ａ】更なる別の実施形態に係る、制御モードデータユニットを生成するためのＰＨＹ処理ユニットの一例を示したブロック図である。
【図１９Ｂ】別の実施形態に係る、制御モードデータユニットを生成するためのＰＨＹ処理ユニットの一例を示したブロック図である。
【図２０Ａ】一実施形態に係る、制御モードデータユニットの信号フィールドを示した図である。
【図２０Ｂ】別の実施形態に係る、制御モードデータユニットの信号フィールドを示した図である。
【図２０Ｃ】一実施形態に係る、制御モードデータユニットのデータ部分を示した図である。
【図２０Ｄ】別の実施形態に係る、制御モードデータユニットのデータ部分を示した図である。
【図２１】一実施形態に係る、通常モードデータユニットに含まれるプリアンブルと比較して長いプリアンブルを含む制御モードデータユニットの一例を示した図である。
【図２２Ａ】一実施形態に係る、通常モードデータユニットのロングトレーニングフィールドを示した図である。
【図２２Ｂ】一実施形態に係る、制御モードデータユニットのロングトレーニングフィールドを示した図である。
【図２３】一実施形態に係る制御モードＯＦＤＭデータを示した図である。
【図２４】別の実施形態に係る制御モードＯＦＤＭデータを示した図である。
【図２５Ａ】一実施形態係る、制御モードプリアンブル及び通常モードプリアンブルにそれぞれ含まれるショートトレーニングシーケンスサブフィールドを示した図である。
【図２５Ｂ】一実施形態係る、制御モードプリアンブル及び通常モードプリアンブルにそれぞれ含まれるショートトレーニングシーケンスサブフィールドを示した図である。
【図２５Ｃ】一実施形態に係る、図２５Ａのショートトレーニングフィールドに対応する周波数ドメイン値を示した図である。
【図２６Ａ】一実施形態係る、制御モードショートトレーニングシーケンス及び通常モードショートトレーニングシーケンスを示した図である。
【図２６Ｂ】一実施形態係る、制御モードショートトレーニングシーケンス及び通常モードショートトレーニングシーケンスを示した図である。
【図２６Ｃ】一実施形態に係る、図２６Ａのショートトレーニングシーケンスに対応する周波数ドメイン値を示した図である。
【図２７Ａ】一実施形態に係る、制御モードデータ及び通常モードデータユニットを示した図である。
【図２７Ｂ】一実施形態に係る、制御モードデータ及び通常モードデータユニットを示した図である。
【図２８Ａ】別の実施形態に係る、制御モードデータユニット及び通常モードデータユニットを示した図である。
【図２８Ｂ】別の実施形態に係る、制御モードデータユニット及び通常モードデータユニットを示した図である。
【図２９Ａ】別の実施形態に係る、制御モードデータユニット及び通常モードデータユニットを示した図である。
【図２９Ｂ】別の実施形態に係る、制御モードデータ及び通常モードデータユニットを示した図である。
【図３０Ａ】別の実施形態に係る、制御モードデータユニット及び通常モードデータユニットを示した図である。
【図３０Ｂ】別の実施形態に係る、制御モードデータ及び通常モードデータユニットを示した図である。
【図３１Ａ】別の実施形態に係る、制御モードプリアンブル及び通常モードプリアンブルを示した図である。
【図３１Ｂ】別の実施形態に係る、制御モードプリアンブル及び通常モードプリアンブルを示した図である。
【図３２Ａ】別の実施形態に係る、制御モードプリアンブル及び通常モードプリアンブルを示した図である。
【図３２Ｂ】別の実施形態に係る、制御モードプリアンブル及び通常モードプリアンブルを示した図である。
【図３３Ａ】別の実施形態に係る、制御モードプリアンブル及び通常モードプリアンブルを示した図である。
【図３３Ｂ】別の実施形態に係る、制御モードプリアンブル及び通常モードプリアンブルを示した図である。
【図３３Ｃ】別の実施形態に係る、制御モードプリアンブルを示した図である。
【図３４Ａ】別の実施形態に係る、制御モードプリアンブル及び通常モードプリアンブルを示した図である。
【図３４Ｂ】別の実施形態に係る、制御モードプリアンブル及び通常モードプリアンブルを示した図である。
【図３５】一実施形態に係る、データユニットを生成する方法の一例を示したフローチャートである。
【図３６】一実施形態に係る、データユニットを生成する方法の一例を示したフローチャートである。
【発明を実施するための形態】
【００６７】
以下に記載される実施形態では、無線ローカルエリアネットワーク（ＷＬＡＮ）のアクセスポイント（ＡＰ）のような無線ネットワークデバイスが、１以上のクライアント局にデータストリームを送信する。ＡＰは、少なくとも第１通信プロトコルにしたがって、クライアント局とのオペレーションを行うように構成されている。第１通信プロトコルは、サブ１ＧＨｚ周波数帯におけるオペレーションを規定し、典型的には、相対的に低いデータレートで長距離の無線通信を行うアプリケーションで使用される。以下、第１通信プロトコル（例えば、ＩＥＥＥ８０２．１１ａｆ又はＩＥＥＥ８０２．１１ａｈ）を"長距離"通信プロトコルと称する。ある実施形態では、相対的に高いデータレートで近距離で通信を行うのに使用され、一般的に高い周波数帯でオペレーションを規定する１以上の別の通信プロトコルにしたがって、ＡＰがクライアント局との動作を行うように構成される。本明細書では、高周波数通信プロトコル（例えば、ＩＥＥＥ８０２．１１ａ、ＩＥＥＥ８０２．１１ｎ、及び／又は、ＩＥＥＥ８０２．１１ａｃ）が、"短距離"通信プロトコルと総称される。
【００６８】
ある実施形態では、長距離通信プロトコルに準拠する物理層（ＰＨＹ）データユニット（"長距離データユニット"）は、短距離通信プロトコルに準拠するデータユニットと同一又は同様であるが、低いクロックレートで生成される。一実施形態では、ＡＰは、短距離オペレーションに適したクロックレートで動作し、ダウンクロックを利用して、サブ１ＧＨｚオペレーションで利用可能なクロック信号を新たに生成する。この実施形態では、長距離通信プロトコルに準拠するデータユニット（"長距離データユニット"）が、概して短距離通信プロトコルに準拠するデータユニット（"短距離データユニット"）の物理層フォーマットを維持するが、より長い期間にわたって送信される。長距離通信プロトコルで規定される"通常モード"に加えて、ある実施形態では、長距離通信プロトコルは、通常モードに対して規定される最も低いデータレートと比較して、それを下回るデータレートを有する"制御モード"を規定する。データレートが低いので、制御モードの通信範囲はより広く、一般的に受信機の感度が上がる。ある実施形態では、ＡＰは、例えば、信号ビーコン、又は、関連付けプロセス、及び／又は、送信ビーム形成トレーニングオペレーションにおいて、制御モードを利用する。これに加えて又はこれに替えて、ＡＰは、長距離送信が必要となり低いデータレートでも許容されるような状況において、制御モードを利用する。例えば、少量のデータ（例えば、測定値）を長距離で送信するスマートメーター又はセンサでの通信に制御モードが使用される。
【００６９】
図１は、一実施形態に係る、無線ローカルエリアネットワーク（ＷＬＡＮ）１０の一例を示したブロック図である。ＡＰ１４は、ネットワークインターフェース１６に接続されたホストプロセッサ１５を備える。ネットワークインターフェース１６は、媒体アクセス制御（ＭＡＣ）処理ユニット１８及び物理層（ＰＨＹ）処理ユニット２０を有する。ＰＨＹ処理ユニット２０は、複数の送受信機２１を含み、複数の送受信機２１は、複数のアンテナ２４に接続されている。図１には、３つの送受信機２１及び３つのアンテナ２４が示されているが、別の実施形態では、ＡＰ１４は、異なる数（例えば、１、２、４、５等）の送受信機２１及びアンテナ２４を備えてもよい。
【００７０】
ＷＬＡＮ１０は、複数のクライアント局２５を備える。図１には、４つのクライアント局２５が示されているが、他のシナリオ及び／又は実施形態では、ＷＬＡＮ１０は、異なる数（例えば、１、２、３、５、６等）のクライアント局２５を含んでもよい。複数のクライアント局２５のうちの少なくとも１つ（例えば、クライアント局２５−１）は、少なくとも長距離通信プロトコルに従って動作するよう構成されている。ある実施形態では、複数のクライアント局２５のうちの少なくとも１つ（例えば、クライアント局２５−４）は、少なくとも短距離通信プロトコルの１以上に従って動作するよう構成されている。
【００７１】
クライアント局２５−１は、ネットワークインターフェース２７に接続されたホストプロセッサ２６を備える。ネットワークインターフェース２７は、ＭＡＣ処理ユニット２８及びＰＨＹ処理ユニット２９を有する。ＰＨＹ処理ユニット２９は、複数の送受信機３０を含み、複数の送受信機３０は、複数のアンテナ３４に接続されている。図１には、３つの送受信機３０及び３つのアンテナ３４が示されているが、別の実施形態では、クライアント局２５−１は、異なる数（例えば、１、２、４、５等）の送受信機３０及びアンテナ３４を備えてもよい。
【００７２】
一実施形態では、クライアント局２５−２及び２５−３のうちの一つ又は両方が、クライアント局２５−１と同一の又は同様な構造を有する。一実施形態において、クライアント局２５−４は、クライアント局２５−１と同一の又は同様な構造を有する。これらの実施形態では、クライアント局２５−１と同一の又は同様な構造を有する複数のクライアント局２５は、同じ数又は異なる数の送受信機及びアンテナを有する。例えば、一実施形態において、クライアント局２５−２は、送受信機及びアンテナをそれぞれ２つのみ有する。
【００７３】
様々な実施形態において、ＡＰ１４のＰＨＹ処理ユニット２０は、長距離通信プロトコルに準拠し、以下に説明するような形式を有するデータユニットを生成するように構成される。送受信機２１は、アンテナ２４を介して、生成されたデータユニットを送信する。同様に、送受信機２４は、アンテナ２１を介してデータユニットを受信する。様々な実施形態において、ＡＰ１４のＰＨＹ処理ユニット２０は、長距離通信プロトコルに準拠し、以下に説明する形式を有する受信データユニットを処理するように構成される。
【００７４】
様々な実施形態において、クライアントデバイス２５−１のＰＨＹ処理ユニット２９は、長距離通信プロトコルに準拠し、以下に説明する形式を有するデータユニットを生成するように構成される。送受信機３０は、アンテナ３４を介して、生成されたデータユニットを送信する。同様に、送受信機３０は、アンテナ３４を介してデータユニットを受信する。様々な実施形態において、クライアントデバイス２５−１のＰＨＹ処理ユニット２９は、長距離通信プロトコルに準拠していかに記載する形式を有する受信データユニットを処理する。
【００７５】
ある実施形態では、ＡＰ１４は、デュアルバンド構成で動作可能である。このような実施形態では、ＡＰ１４は、オペレーションモードを短距離モードと長距離モードとで切り替えることができる。このような一実施形態では、ＡＰ１４は、短距離モードで動作する場合、短距離通信プロトコルの１以上に適合したデータユニットを送受信する。長距離モードで動作する場合、ＡＰ１４は、長距離通信プロトコルに適合したデータユニットを送受信する。ある実施形態では、クライアント局２５−１も、デュアルバンド構成で動作可能である。このような実施形態では、クライアント局２５−１は、オペレーションモードを短距離モードと長距離モードとで切り替えることができる。別の実施形態では、ＡＰ１４及び／又はクライアント局２５−１は、長距離通信プロトコルによって長距離オペレーションに対して規定された異なる低い周波数帯域間で切り替えを行うことができるデュアルバンド装置である。更に別の実施形態では、ＡＰ１４及び／又はクライアント局２５−１は、１つの長距離周波数帯でのみ動作するように構成されたシングルバンド装置である。
【００７６】
図２Ａは、従来技術の直交周波数分割多重（ＯＦＤＭ）変調を介して、クライアント局２５−４にＡＰ１４が送信するＯＦＤＭ短距離データユニット２００を示した図である。一実施形態において、クライアント局２５−４も、データユニット２００をＡＰ１４に送信する。データユニット２００は、ＩＥＥＥ８０２．１１ａ規格に準拠し、２０メガヘルツ（ＭＨｚ）帯を占める。データユニット２００は、一般的にパケット検出、初期同期及び自動ゲイン制御等に使用されるレガシーショートトレーニングフィールド（Ｌ−ＳＴＦ）２０２、及び、一般的にチャネル推定及び精度の高い同期に使用されるレガシーロングトレーニングフィールド（Ｌ−ＬＴＦ）２０４を有するプリアンブルを含む。データユニット２００はまた、例えば、変調の種類及びデータユニットの送信に使用される符合化レートのような、データユニット２００に関する特定の物理層（ＰＨＹ）パラメータを搬送するのに使用されるレガシー信号フィールド（Ｌ−ＳＩＧ）２０６を含む。データユニット２００はまた、データ部分２０８を含む。図２Ｂは、必要に応じて、サービスフィールド、暗号化された物理層サービスデータユニット（ＰＳＤＵ）、テールビット及びパディングビットを含むデータ部分２０８（低密度パリティ検査符号で符合化されていない）の一例を示している。データユニット２００は、単入力単出力（ＳＩＳＯ）チャネル構成で、１つの空間又は空間時間ストリーム上で送信されるように設計されている。
【００７７】
図３は、従来技術の直交周波数領域多重（ＯＦＤＭ）変調を介してクライアント局２５−４にＡＰ１４が送信する短距離ＯＦＤＭデータユニット３００を示している。一実施形態において、クライアント局２５−４も、ＡＰ１４に対してデータユニット３００を送信するように構成される。データユニット３００は、ＩＥＥＥ８０２．１１ｎ規格に準拠し、２０ＭＨｚ帯域を占め、混合モードの場合に適するように設計されている、すなわち、ＷＬＡＮが、ＩＥＥＥ８０２．１１ａ規格に準拠するがＩＥＥＥ８０２．１１ｎ規格には準拠してないクライアント局を１以上含む場合に適するように設計されている。データユニット３００は、Ｌ−ＳＴＦ３０２、Ｌ−ＬＴＦ３０４、Ｌ−ＳＩＧ３０６、高スループット信号フィールド（ＨＴ−ＳＩＧ）３０８、高スループットショートトレーニングフィールド（ＨＴ−ＳＴＦ）３１０、及び、Ｍ個のデータ高スループットロングトレーニングフィールド（ＨＴ−ＬＴＦ）３１２を含むプリアンブルを有し、ここで、Ｍは、一般的に複数入力複数出力（ＭＩＭＯ）チャネル構成でデータユニット３００を送信するのに使用される空間ストリームの数に対応する整数である。より詳細には、ＩＥＥＥ８０２．１１ｎ規格に準拠して、データユニット３００が２つの空間ストリームを使用して送信される場合には、データユニット３００は２つのＨＴ−ＬＴＦ３１２を含み、データユニット３００が３つ又は４つの空間ストリームを使用して送信される場合には、データユニット３００は４つのＨＴ−ＬＴＦ３１２を含む。使用される空間ストリームの特定の数を示す情報は、ＨＴ−ＳＩＧフィールド３０８に含まれる。データユニット３００は、データ部分３１４を含む。
【００７８】
図４は、一実施形態に係る直交周波数領域多重（ＯＦＤＭ）変調を介してクライアント局２５−４にＡＰ１４が送信する従来のＯＦＤＭ短距離データユニット４００を示している。一実施形態において、クライアント局２５−４も、ＡＰ１４に対してデータユニット４００を送信するように構成される。データユニット４００は、ＩＥＥＥ８０２．１１ｎ規格に準拠し、２０ＭＨｚ帯域を占め、"グリーンフィールド"に適するように設計されている、すなわち、ＷＬＡＮがＩＥＥＥ８０２．１１ａ規格に準拠するがＩＥＥＥ８０２．１１ｎ規格には準拠しないクライアント局を含まない場合に適するように設計されている。データユニット４００は、高スループットグリーンフィールドショートトレーニングフィールド（ＨＴ−ＧＦ−ＳＴＦ）４０２、第１高スループットロングトレーニングフィールド（ＨＴ−ＬＴＦ１）４０４、ＨＴ−ＳＩＧ４０６、及び、Ｍ個のＨＴ−ＬＴＦ４０８を含むプリアンブルを有し、ここで、Ｍは、一般的に複数入力複数出力（ＭＩＭＯ）チャネル構成でデータユニット４００を送信するのに使用される空間ストリームの数に対応する整数である。データユニット４００はまた、データ部分４１０を含む。
【００７９】
図５は、一実施形態に係る直交周波数領域多重（ＯＦＤＭ）変調を介してクライアント局２５−４にＡＰ１４が送信する従来のＯＦＤＭ短距離データユニット５００を示している。一実施形態において、クライアント局２５−４も、ＡＰ１４に対してデータユニット５００を送信するように構成される。データユニット５００は、ＩＥＥＥ８０２．１１ａｃ規格に準拠し、"混合フィールド"の場合に適するように設計されている、データユニット５００は、２０ＭＨｚ又は４０ＭＨｚ帯域チャネルを占める。別の実施形態又は別のシナリオでは、データユニット５００と同様なデータユニットが、４０ＭＨｚ、８０ＭＨｚ又は１６０ＭＨｚといった異なる帯域幅チャネルを占める。データユニット５００は、Ｌ−ＳＴＦ５０２、Ｌ−ＬＴＦ５０４、Ｌ−ＳＩＧ５０６、第１超高スループット信号フィールド（ＶＨＴ−ＳＩＧ−Ａ）５０８、超高スループットショートトレーニングフィールド（ＶＨＴ−ＳＴＦ）５１０、Ｍ個の超高スループットロングトレーニングフィールド（ＶＨＴ−ＬＴＦ）５１２、及び、第２超高スループット信号フィールド（ＶＨＴ−ＳＩＧ−Ｂ）５１２を含むプリアンブルを有し、ここで、Ｍは、整数である。データユニット５００はまた、データ部分５１４を含む。ある実施形態では、データユニット５００は、クライアント局２５の２以上に同時に情報を搬送するマルチユーザデータユニットである。このような実施形態又はシナリオでは、ＶＨＴ−ＳＩＧ−Ａは、宛先クライアント局の全てに共通の情報を含み、ＶＨＴ−ＳＩＧ−Ｂは、宛先クライアント局のそれぞれについてのユーザ固有情報を含む。
【００８０】
図６には、ＩＥＥＥ８０２．１１ｎ規格によって規定されているＬ−ＳＩＧ、ＨＴ−ＳＩＧ１及びＨＴ−ＳＩＧ２フィールドの変調を示した一連の図が示されている。Ｌ−ＳＩＧフィールドは、二位相偏移変調（ＢＰＳＫ）に従って変調され、ＨＴ−ＳＩＧ１及びＨＴ−ＳＩＧ２フィールドは、横軸でＢＰＳＫに従って変調される（Ｑ−ＢＰＳＫ）。すなわち、ＨＴ−ＳＩＧ１及びＨＴ−ＳＩＧ２フィールドの変調は、Ｌ−ＳＩＧフィールドの変調と比較して、９０°回転される。図６に示されるように、このような変調によって、受信装置は、プリアンブル全体をデコードすることなく、データユニットがＩＥＥＥ８０２．１１ａ規格ではなく、ＩＥＥＥ８０２．１１ｎ規格に準拠しているいと判断できる又は自動的に検出できる。
【００８１】
図７には、ＩＥＥＥ８０２．１１ａｃ規格に規定されるように、Ｌ−ＳＩＧフィールド、ＶＨＴ−ＳＩＧ−Ａフィールドの第１シンボル、ＶＨＴ−ＳＩＧ−Ａフィールドの第２シンボル、及び、ＶＨＴ−ＳＩＧ−Ｂの変調を示した一連の図が示されている。Ｌ−ＳＩＧは、二位相偏移変調（ＢＰＳＫ）に従って変調される。同様に、ＶＨＴ−ＳＩＧ−Ａフィールドの第１シンボルもＢＰＳＫに従って変調される。一方、ＶＨＴ−ＳＩＧ−Ａフィールドの第２シンボルは、横軸でＢＰＳＫに従って変調される（Ｑ−ＢＰＳＫ）。ＶＨＴ−ＳＩＧ−Ｂフィールドは、Ｌ−ＳＩＧフィールド及びＶＨＴ−ＳＩＧ−Ａフィールドの第１シンボルと同様に、ＢＰＳＫにしたがって変調される。上記で説明した８０２．１１ｎ自動検出機能と同様に、上記のような変調によって、受信装置は、プリアンブル全体をデコードすることなく、データユニットが、ＩＥＥＥ８０２．１１ａ規格又はＩＥＥＥ８０２．１１ｎ規格のうちの一つではなく、ＩＥＥＥ８０２．１１ａｃ規格に準拠しているいと判断できる又は自動的に検出できる
【００８２】
図８には、一実施形態に係る、シングルキャリアチャネルを介して、ＡＰ１４がクライアント局２５−４に送信するシングルキャリア（ＳＣ）短距離データユニット８００を示した図である。一実施形態では、クライアント局２５−４もデータユニット８００をＡＰ１４に送信するように構成される。データユニット８００は、受信機がデータユニットの存在を検出することを可能とし、入力信号との同期を開始することが可能となるＳＹＮＣフィールド８０２を含む。データ８００は、フレームの開始を通知するスタートフレームデリミタ（ＳＦＤ）フィールド８０４を含む。ＳＹＮＣフィールド８０２及びＳＦＤフィールド８０４は、データユニット８００のプリアンブル部分を構成する。データユニット８００は更に、信号フィールド（ＳＩＧＮＡＬ）８０６、サービスフィールド（ＳＥＲＶＩＣＥ）８０８、長さフィールド（ＬＥＮＧＴＨ）８１０、及び、巡回冗長検査（ＣＲＣ）チェックフィールド８１２を含む。データユニット８００は更に、物理層サービスデータユニット（ＰＳＤＵ）、すなわち、データ部分８１４を含む。
【００８３】
様々な実施形態及び／又はシナリオにおいて、長距離通信プロトコル（例えば、ＩＥＥＥ８０２．１１ａｆ又は８０２．１１ａｈ規格）に準拠するデータユニットは、以下で図２Ａから図５を参照して説明するＩＥＥＥ８０２．１１ａ規格、ＩＥＥＥ８０２．１１ｎ規格（混合モード又はグリーンフィールド）、又は、ＩＥＥＥ８０２．１１ａｃ規格によって規定されるのと少なくとも実質的に同様に規定される形式を有し、より遅いクロックレートを使用して低い周波数（例えば、サブ１ＧＨｚ）で送信される。このような実施形態の場合、送信装置（例えば、ＡＰ１４）は、短距離データユニットを生成するのに使用されるクロックレートを比Ｎ分だけダウンクロックして、長距離データユニットを送信するのに使用するクロックレートを低くする。したがって、長距離データユニットは、一般的に、長い時間をかけて送信され、対応する短距離データユニットと比較して、小さな帯域幅を占有する。ダウンクロックする比Ｎは、異なる実施形態及び／又はシナリオでは異なる。一実施形態では、ダウンクロック比Ｎは、１０である。別の実施形態では、その他の好適なダウンクロック比（Ｎ）の値が使用され、長距離データユニットの送信時間及び帯域幅が、比Ｎに従って変更される。ある実施形態では、ダウンクロックの比Ｎは、２のべき乗である（例えば、Ｎ＝８、１６、３２等）。ある実施形態では、"通常"モードに対応するダウンクロックされたデータユニットに加えて、長距離通信プロトコルは、通常モードで規定される最も低いデータレートよりも低いデータレートを有する"制御"モード（及び対応する"制御モード"データユニット形式）を規定する。このような実施形態によって、ダウンクロックを使用して生成された通常モードのデータユニットの例が、図９から図１３を参照して以下に説明されるが、２０１２年１月２６日出願の米国特許出願第13/359,336号明細書にも例が記載されており、その内容が参照により本明細書に組み込まれる。
【００８４】
図９は、一実施形態に係る直交周波数領域多重（ＯＦＤＭ）変調を介して、クライアント局２５−１にＡＰ１４が送信する通常モードＯＦＤＭ長距離データユニット９００を示した図である。一実施形態において、クライアント局２５−１も、データユニット９００をＡＰ１４に送信する。データユニット９００は、短距離クロックレートをダウンクロック比Ｎだけダウンクロックしたクロックレートを使用して送信される以外は、図５のデータユニット５００と同様である。したがって、データユニット９００のＯＦＤＭシンボルそれぞれのシンボル継続期間は、データユニット５００におけるＯＦＤＭシンボルのシンボル継続期間と比較して、Ｎ倍長くなる。図９の実施形態では、Ｎは１０である。この場合、データユニット９００に含まれるＯＦＤＭシンボルそれぞれの長さは、データユニット５００に含まれるＯＦＤＭシンボルと比較して１０倍長くなる。別の実施形態では、異なる好適なダウンクロック比が使用される。
【００８５】
図１０は、一実施形態に係る直交周波数領域多重（ＯＦＤＭ）変調を介して、クライアント局２５−１にＡＰ１４が送信する通常モードＯＦＤＭ長距離データユニット１０００を示した図である。一実施形態において、クライアント局２５−１も、データユニット１０００をＡＰ１４に送信する。データユニット１０００は、短距離クロックレートをダウンクロック比Ｎだけダウンクロックしたクロックレートを使用して送信される以外は、図４の"グリーンフィールド"データユニット４００と同様である。したがって、データユニット１０００のＯＦＤＭシンボルそれぞれのシンボル継続期間は、データユニット４００に含まれるＯＦＤＭシンボルのシンボル継続期間と比較して、Ｎ倍長くなる。図１０の実施形態では、Ｎは１０である。この場合、データユニット１０００に含まれるＯＦＤＭシンボルそれぞれの長さは、データユニット４００に含まれるＯＦＤＭシンボルと比較して１０倍長くなる。別の実施形態では、異なる好適なダウンクロック比が使用される。
【００８６】
図１１は、一実施形態に係る、長距離モードで動作する場合の、直交周波数領域多重（ＯＦＤＭ）変調を介して、クライアント局２５−１にＡＰ１４が送信する通常モードＯＦＤＭ長距離データユニット１１００を示した図である。一実施形態において、クライアント局２５−１も、データユニット１１００をＡＰ１４に送信する。データユニット１１００は、短距離クロックレートをダウンクロック比Ｎだけダウンクロックしたクロックレートを使用して送信される以外は、図５のデータユニット５００と同様である。したがって、データユニット１１００のＯＦＤＭシンボルそれぞれのシンボル継続期間は、データユニット５００におけるＯＦＤＭシンボルのシンボル継続期間と比較して、Ｎ倍長くなる。図１１の実施形態では、Ｎは１０である。この場合、データユニット１１００に含まれるＯＦＤＭシンボルそれぞれの長さは、データユニット５００に含まれるＯＦＤＭシンボルと比較して１０倍長くなる。別の実施形態では、異なる好適なダウンクロック比が使用される。
【００８７】
図１２は、一実施形態に係る、長距離モードで動作する場合の、直交周波数領域多重（ＯＦＤＭ）変調を介して、クライアント局２５−１にＡＰ１４が送信する通常モードＯＦＤＭ長距離データユニット１２００を示した図である。データユニット１２００は、プリアンブルのレガシー部分（すなわち、Ｌ−ＳＴＦ１１０２、Ｌ−ＬＴＦ１１０４、Ｌ−ＳＩＧ１１０６）がデータユニット１２００では省略されている以外は、図１１のデータユニット１１００と同様である。一実施形態では、データユニット１２００においてＶＨＴ−ＳＩＧ−Ｂフィールド１２１４が省略される。更に、ある実施形態では、データユニット１２００の全ての又は一部のフィールドに対するビット割り当ては、短距離通信プロトコルによって規定されるビット割り当てとは異なる。
【００８８】
図１３は、一実施形態に係る、長距離モードで動作する場合の、直交周波数領域多重（ＯＦＤＭ）変調を介して、クライアント局２５−１にＡＰ１４が送信する通常モードＯＦＤＭ長距離データユニット１３００を示した図である。一実施形態において、クライアント局２５−１も、データユニット１３００をＡＰ１４に送信する。データユニット１３００は、短距離クロックレートをダウンクロック比Ｎだけダウンクロックしたクロックレートを使用して送信される以外は、図２Ａのデータユニット２００と同様である。したがって、データユニット１３００のＯＦＤＭシンボルそれぞれのシンボル継続期間は、データユニット２００に含まれるＯＦＤＭシンボルのシンボル継続期間と比較して、Ｎ倍長くなる。図１３の実施形態では、Ｎは１０である。この場合、データユニット１３００に含まれるＯＦＤＭシンボルそれぞれの長さは、データユニット２００に含まれるＯＦＤＭシンボルと比較して１０倍長くなる。別の実施形態では、異なる好適なダウンクロック比が使用される。
【００８９】
図１４は、一実施形態に係る、通常モードデータユニットを生成するＰＨＹ処理ユニット１４００の一例を示したブロック図である。図１に示したように、一実施形態において、ＡＰ１４及びクライアント局２５−１はそれぞれ、ＰＨＹ処理ユニット１４００のようなＰＨＹ処理ユニットを有する。様々な実施形態及び／又はシナリオにおいて、ＰＨＹ処理ユニット１４００は、例えば、図９から図１３のデータユニットのうちの一つのような長距離データユニットを生成する。
【００９０】
ＰＨＹ処理ユニット１４００は、一実施形態において、１又は０が長く続くシーケンスの発生を低減させるべく、情報ビットストリームをスクランブルするスクランブラ１４０２を備える。ＦＥＣエンコーダ１４０６は、暗号化された情報ビットを符号化して、符号化されたデータビットを生成する。一実施形態において、ＦＥＣエンコーダ１４０６はそれぞれ、２値畳み込みエンコーダ（ＢＣＣ）を含む。別の実施形態では、ＦＥＣエンコーダ１４０６はそれぞれ、２値畳み込みエンコーダを含み、その後に、パンクチャリングブロックを含む。別の実施形態では、ＦＥＣエンコーダ１４０６はそれぞれ、低密度パリティ検査（ＬＤＰＣ）エンコーダを含む。インターリーバ１４１０は、符号化されたデータビットを受信し、これらビットをインターリーブ（すなわち、ビットの順番を変更）して、隣接するノイズの多い複数のビットの長いシーケンスが、受信機のデコーダに入力されるのを防ぐ。コンスタレーションマッパ１４１４は、インターリーブされた複数のビットのシーケンスを、ＯＦＤＭシンボルの異なるサブキャリに対応するコンスタレーションポイントにマッピングする。より具体的には、各空間ストリームについて、コンスタレーションマッパ１４１４は、長さｌｏｇ２（Ｍ）の長さのビットシーケンス１つを、Ｍ個のコンスタレーションポイントのうちの一つに変換する。
【００９１】
コンスタレーションマッパ１４１４の出力はそれぞれ、離散逆フーリエ変換（ＩＤＦＴ）計算ユニット１４１８によって演算されて、コンスタレーションポイントのブロックが、時間ドメインの信号へと変換される。ＰＨＹ処理ユニット１４００が複数の空間ストリームを介して送信を行うためのデータユニットを生成するべく演算を行う実施形態又は状況では、サイクリックシフトダイバーシチ（ＣＳＤ）ユニット１４２２が、意図しないビーム形成を防ぐべく、複数の空間ストリームのうちの一つに周期シフトを挿入する。ＣＳＤユニット１４２２の出力は、ガードインターバル（ＧＩ）挿入及びウィンドウ化ユニット１４２６に供給されて、ガードインターバル（ＧＩ）部分が各ＯＦＤＭシンボルの先頭に付加される。ＧＩ部分は、ＯＦＤＭシンボルの循環拡張であり、各シンボルのエッジがスムースになることから、スペクトル減衰が増大する。ＧＩ挿入及びウィンドウ化ユニット１４２６の出力は、アナログ及び無線周波数（ＲＦ）ユニット１４３０に供給されて、信号がアナログ信号に変換されて、このアナログ信号が、送信のためのＲＦ周波数へとアップコンバートされる。
【００９２】
様々な実施形態において、制御モードは、通常モードの最も低いデータレートのＭＣＳに対応し、ビットの繰り返し及び冗長性をデータユニットの少なくとも一部のフィールドに導入して、データレートを更に下げることを意図する。例えば、制御モードでは、データ部分に冗長性を導入する、及び／又は、様々な実施形態及び／又はシナリオでは、以下に説明するような１回以上の繰り返し及びコーディングスキームに従って、制御モードデータユニットの信号フィールドに冗長性を導入する。一例として、一実施形態では、通常モードのデータユニットは、特定の変調及びコーディングスキーム（ＭＣＳ）に従って生成される。例えば、ＭＣＳは、複数のＭＣＳからなる一群から選択され、例えば、ＭＣＳ０（二位相偏移変調（ＢＰＳＫ）及び符号化レート１／２）〜ＭＣＳ９（直角位相変調（ＱＡＭ）及び符号化レート５／６）から選択され、上位のＭＣＳはより高いデータレートに対応している。このような一実施形態では、制御モードデータユニットは、ＭＣＳ０によって規定される変調及びコーディングを使用して生成され、ビットの繰り返しが付加されている、又は、データレートを更に低減させるブロック符号化がなされる。
【００９３】
図１５Ａは、一実施形態に係る、制御モードデータユニットを生成するためのＰＨＹ処理ユニット１５００の一例を示したブロック図である。ある実施形態では、ＰＨＹ処理ユニット１５００は、制御モードデータユニットの信号及び／又はデータフィールドを生成する。図１に示すように、一実施形態では、ＡＰ１４及びクライアント局２５−１はそれぞれ、ＰＨＹ処理ユニット１５００のようなＰＨＹ処理ユニットを含む。
【００９４】
ＰＨＹ処理ユニット１５００は、スクランブラ１５０２に接続されたブロック符号化ユニット１５０４を備える点以外は、図１４のＰＨＹ処理ユニット１４００と同様な構成を有する。一実施形態において、ブロック符号化ユニット１５０４は、入力される（暗号化された）情報ビットを一度に１ブロックずつ読み込み、各ブロック（又は１ブロックにおける各ビット）のコピーを複数生成して、生成したビットを、あるコーディングスキームに従ってインターリーブして、インターリーブしたビットを、ＢＣＣエンコーダ１５０６に供給し、ＢＣＣエンコーダ１５０６は更に符号化を行う。多くの場合、各ブロックには、複数の情報ビットが含まれ、一実施形態では、これら複数の情報ビットはブロック符号化ユニット１５０４によって符号化され、さらに、ＢＣＣエンコーダ１５０６によって符号化された後、１つのＯＦＤＭシンボルの複数のデータトーンとなる。一実施形態では、ブロック符号化ユニット１５０４は、各ブロックの１２個の情報ビットのコピーを２つ（２回繰り返し）を生成して、ＯＦＤＭシンボルに含める２４ビットを生成する。この２４ビットが更にＢＣＣエンコーダ１５０６によって符号化レート１／２で符号化されて、４８ビットが生成されて、ＯＦＤＭシンボルの４８個のデータトーンが変調される（例えば、ＢＰＳＫ変調を使用して）。別の実施形態では、ブロック符号化ユニット１５０４は、各ブロックの６個の情報ビットのコピーを４つ（４回繰り返し）を生成して２４ビットを生成し、この２４ビットがＢＣＣエンコーダ１５０６によって符号化レート１／２で符号化されて、ＯＦＤＭシンボルの４８個データトーンを変調する４８ビットが生成される。更に別の実施形態では、ブロック符号化ユニット１５０４は、各ブロックの１３個の情報ビットのコピーを２つ（２回繰り返し）を生成して２６ビットを生成し、ＢＣＣエンコーダ１５０６によって符号化レート１／２で符号化されて、ＯＦＤＭシンボルの５２個のデータトーンを変調する５２ビットが生成される。
【００９５】
ある実施形態では、ブロック符号化ユニット１５０４は、２０ＭＨｚチャネルに対するＩＥＥＥ８０２．１１ｎ規格で規定されるＭＣＳ０によって定義されるデータ（又は信号）フィールドが生成される場合、すなわち、１つのＯＦＤＭシンボルにつき５２個のデータトーンが存在する場合、繰り返しが４回生成されるスキームを適用する。この場合、一実施形態では、ブロック符号化ユニット１５０４は、各ブロックの６個の情報ビットのコピーを４つ（４回繰り返し）を生成して、２４ビットを生成し、２つのパディングビット（すなわち、所定の値の２つのビット）を付加する。そして、規定された数のビット（すなわち、５２データトーンの場合、２６ビット）が、ＢＣＣエンコーダに供給されて、符号化レート１／２を使用してこの２６ビットが符号化されて、５２個のデータトーンを変調するための５２個の符号化されたビットを生成する。
【００９６】
一実施形態において、ブロック符号化ユニット１５０４は、ｎ個のビットからなるブロックが、ｍ回連続して繰り返される"ブロックレベル"繰り返しスキームを使用する。一例として、ｍが４に等しい場合（４回繰り返し）、ブロック符号化ユニット１５０４は、一実施形態では、［C, C, C, C］というシーケンスを生成する。ここで、Cは、ｎ個のビットからなる１ブロックを表している。別の実施形態では、ブロック符号化ユニット１５０４は、入力される各ビットが、ｍ回連続して繰り返される"ビットレベル"繰り返しスキームを使用する。この場合、一実施形態では、ｍが４に等しい場合（４回繰り返し）、ブロック符号化ユニット１５０４は、シーケンス［b1 b1 b1 b1 b2 b2 b2 b2 b3 b3 b3 b3...］を生成する。ここで、b1は、複数ビットからなるブロックにおける第１番目のビットであり、b2は第２番目のビットであり、以下同様である。別の実施形態では、ブロック符号化ユニット１５０４は、入力されたビットのｍ個のコピーを生成して、生成されたビットストリームを、任意の好適なコードに従ってインターリーブする。これに替えて、別の実施形態では、ブロック符号化ユニット１５０４は、入力されたビット又はビットの入力されたブロックを、好適なコード、例えば、ハミング（Hamming）ブロック符号を使用して、符号化レート１／２、１／４で符号化する。又は、その他のブロック符号を使用して、符号化レート１／２、１／４で符号化する（例えば、（１，２）又は（１，４）ブロック符号、（１２，２４）ブロック符号又は（６，２４）ブロック符号、（１３，２６）ブロック符号等）。
【００９７】
一実施形態によれば、ブロック符号化ユニット１５０４によって実行される符号化と、ＢＣＣエンコーダ１５０６によって実行される符号化の組み合わせに対応する実効符号化レートは、２つの符号化レートの積になる。例えば、ブロック符号化ユニット１５０４は、４つの繰り返し（又は符号化レート１／４）を使用し、ＢＣＣエンコーダ１５０６は、符号化レート１／２を使用する場合、組み合わせの結果の実効符号化レートは、１／８に等しくなる。一実施形態では、同様な通常モードデータユニットを生成するのに使用される符号化レートと比較して低い符号化レートを使用する結果、制御モードでのデータレートは、ブロック符号化ユニット１５０４によって適用される符号化レートの数字に対応する係数分だけ低減される（例えば、２分の１、４分の１等）。
【００９８】
ある実施形態では、ブロック符号化ユニット１５０４は、制御モードデータユニットの信号フィールドを生成するのに、制御モードデータユニットのデータ部分を生成するのに使用したブロック符号化スキームと同じブロック符号化スキームを使用する。例えば、一実施形態では、信号フィールドのＯＦＤＭシンボル及びデータ部分のＯＦＤＭシンボルはそれぞれ、４８個のデータトーンを含み、この実施形態では、ブロック符号化ユニット１５０４は、例えば、信号フィールド及びデータ部分に対して、１２ビットのブロックを２回繰り返すスキームを適用する。別の実施形態では、制御モードユニットのデータ部分及び信号フィールドは、異なるブロック符号化スキームを使用して生成される。例えば、ある実施形態では、長距離通信プロトコルは、データ部分の１つのＯＦＤＭシンボルあたりのデータトーン数と比較して、異なる１つのＯＦＤＭシンボルあたりのデータトーン数を信号フィールドに規定する。この実施形態では、ブロック符号化ユニット１５０４は、信号フィールドに対する動作時に、データ部分の生成で使用されたのとは異なるブロックサイズを使用し、また、ある実施形態では、異なるコーディングスキームを使用する。例えば、長距離通信プロトコルが、信号フィールドの１つのＯＦＤＭシンボルにつき５２個のデータトーンを規定し、データ部分の１つのＯＦＤＭシンボルにつき４８個のデータトーンを規定する場合、一実施形態では、ブロック符号化ユニット１５０４は、２回繰り返しスキームを信号フィールドの１３ビットのブロックに適用し、２回繰り返しスキームをデータ部分の１２ビットのブロックに適用する。
【００９９】
一実施形態では、ＢＣＣエンコーダ１５０６は、ブロック符号化された情報ビットを符号化する。一実施形態において、ＢＣＣエンコードは、生成されるフィールド全体にわたって（例えば、データフィールド全体、信号フィールド全体等）連続して実行される。このような実施形態では、生成されるフィールドに対応する情報ビットは、規定されたサイズ（例えば、６ビット、１２ビット、１３ビット、又は、任意のその他のビット数）を有する複数のブロックに分割され、各ブロックがブロック符号化ユニット１５０４によって処理されて、得られたデータストリームはＢＣＣエンコーダ１５０６に供給され、ＢＣＣエンコーダ１５０６は、入力ビットを連続して符号化する。
【０１００】
様々な実施形態では、図１４のインターリーバ１４１０と同様に、ダイバーシチ利得を提供し、データストリーム中の連続した複数のビットが送信チャネルで破損する確率を下げるべく、インターリーバ１５１０は、複数のビットの順番を変更する。しかしながら、ある実施形態では、ブロック符号化ユニット１５０４は、十分なダイバーシチ利得を提供するので、インターリーバ１５１０は省略される。
【０１０１】
ある実施形態では、制御モードデータユニットのデータ部分における情報ビットが、パディングされて（すなわち、周知の値の複数のビットが情報ビットに付加される）、例えば、データユニットは、整数値の個数のＯＦＤＭシンボルを占めるようになる。図１に示すように、ある実施形態では、パディングがＭＡＣ処理ユニット１８、２８及び／又はＰＨＹ処理ユニット２０、２９に実装される。このようなある実施形態では、パディングビットの数は、短距離通信プロトコル（例えば、ＩＥＥＥ８０２．１１ａ規格、ＥＥＥ８０２．１１ｎ規格、ＩＥＥＥ８０２．１１ａｃ規格等）で提供されているパディング式に従って決定される。一般的に、パディング式では、部分的に、１つのＯＦＤＭシンボルあたりのデータビットの数（ＮＤＢＰＳ）及び／又は一シンボルあたりの符号化されたデータビットの数（ＮＣＢＰＳ）に基づいて、パディングビットの数を計算する。一実施形態において、制御モードでは、パディングビットの数は、情報ビットがブロック符号化ユニット１５０４によってブロック符号化される前、及び、ＢＣＣエンコーダ１５０６によってＢＣＣ符号化される前の、１つのＯＦＤＭシンボルに含まれる情報ビットの数（例えば、６ビット、１２ビット、１３ビット等）に基づいて決定される。したがって、制御モードデータユニットにおけるパディングビットの数は、多くの場合、対応する通常モードデータ（又は対応する短距離データユニット）におけるパディングビットの数とは異なる。別の実施形態では、制御モードデータユニットでの１シンボルあたりの符号化されたビットの数は、通常モードデータユニット（又は、対応する短距離データユニット）における１シンボルあたりの符号化されたビットの数と同じであり、例えば、１つのＯＦＤＭシンボルあたりの符号化されたビット数が、２４、４８、５２等である。
【０１０２】
図１５Ｂは、別の実施形態に係る、制御モードデータユニットを生成するためのＰＨＹ処理ユニット１５５０の一例を示したブロック図である。ある実施形態では、ＰＨＹ処理ユニット１５５０は、制御モードデータユニットの信号フィールド及び／又はデータフィールドを生成する。図１に示すように、一実施形態では、ＡＰ１４及びクライアント局２５−１はそれぞれ、ＰＨＹ処理ユニット１５５０のようなＰＨＹ処理ユニットを含む。
【０１０３】
ＰＨＹ処理ユニット１５５０は、ＢＣＣエンコーダ１５０６がＬＤＰＣエンコーダ１５５６に置き換えられる以外は、図１５ＡのＰＨＹ処理ユニット１５００と同様な構成を有する。したがって、この実施形態では、ブロック符号化ユニット１５０４の出力は、さらにＬＤＰＣエンコーダ１５５６によってブロック符号化される。一実施形態では、ＬＤＰＣエンコーダ１５５６は、符号化レート１／２に対応するブロック符号、又は、別の好適な符号化レートに対応するブロック符号を使用する。図示の実施形態では、ＰＨＹ処理ユニット１５５０はインタリーバ１５１０を省略しているが、これは、情報ストリームにおける隣接する複数のビットが多くの場合、ＬＤＰＣ符号自体によって拡散されており、更なるインターリーブが必要ないからである。加えて、一実施形態では、ＬＤＰＣトーン再マッピングユニット１５６０によって、更なる周波数ダイバーシチが提供される。一実施形態によれば、ＬＤＰＣトーン再マッピングユニット１５６０は、トーン再マッピング関数に従って、符号化された情報ビット又は符号化された情報ビットのブロックの、再並び替えを行う。トーン再マッピング関数は、連続した符号化済み情報ビット又は連続した情報ビットのブロックを、ＯＦＤＭシンボルにおける不連続なトーンにマッピングして、連続した複数のＯＦＤＭトーンが伝送の間に悪い影響を受けた場合に、データの回復を容易にする。ある実施形態では、ＬＤＰＣトーン再マッピングユニット１５６０は省略される。再び図１５Ａを参照して、様々な実施形態では、典型的には、ＢＣＣエンコーダ１５０６が適切に動作するように、複数のテールビットをデータユニットの各フィールドに付加して、例えば、ＢＣＣエンコーダが各フィールドを符号化した後で、ゼロステートに戻ることを確かにしている。一実施形態では、例えば、データ部分がＢＣＣエンコーダ１５０６に供給される前に（例えば、ビットがブロック符号化ユニット１５０４によって処理された後）６個のテールビットを、データ部分の終わりに挿入する。
【０１０４】
同様に、信号フィールドの場合、様々な実施形態では、信号フィールドがＢＣＣエンコーダ１５０６に供給される前に、テールビットが信号フィールドに挿入される。図１６Ａは、一実施形態に係る、信号フィールド１６００の一例を示した図である。信号フィールド１６００は、４ビットレートサブフィールド１６０４、１２ビット長さサブフィールド１６０４、及び、１ビットパリティビット１６０６を含む。信号フィールド１６００はまた、５ビット予備サブフィールド１６０８を含む。この実施形態では、信号フィールド１６００のビット割り当ては、テールビットに割り当てられたビットを含まない。図１６Ｂは、一実施形態に係るブロック符号化された信号フィールド１６５０を示した図である。一実施形態において、図１５Ａのブロックエンコーディングユニット１５０４は、図１６Ａの信号フィールド１６００を符号化することによって、信号フィールド１６５０を生成する。ブロック符号化された信号フィールド１６５０は、４つのＯＦＤＭシンボル１６５２を含み、各ＯＦＤＭシンボル１６５２は、信号フィールド１６００の６個のビットからなるブロックの繰り返しを４回分含む。例示されるように、６個のテールビット及び２つのパディングビットが、ブロック符号化された信号フィールド（ＯＦＤＭシンボル１６５２−４）の最後のＯＦＤＭの終わりに付加される。
【０１０５】
これに替えて、別の実施形態では、信号フィールドがブロック符号化される前に、テールビットが信号フィールドに挿入される。この場合、挿入されたテールビットが繰り返される又は符号化される（例えば、図１５Ａのブロック符号化ユニット１５０４）。図１７Ａは、一実施形態に係る、ブロック符号化の前の、信号フィールドの末端に６つのテールビットが挿入される信号フィールド１７００を示した図である。信号フィールド１７００は、４ビットレートサブフィールド１７０２、１ビット予備サブフィールド１７０４、１２ビット長さサブフィールド１７０６、続いて、１ビットパリティビット（１７０８）及び６個のテールビット（１７１０）を含む。図１７Ｂは、一実施形態に係る、ブロック符号化された信号フィールド１７５０を示した図である。一実施形態において、図１５Ａのブロック符号化ユニット１５０４は、図１７Ａの信号フィールド１７００を符号化することによって、信号フィールド１７５０を生成する。図１６Ｂのブロック符号化された信号フィールド１６５０の例のように、信号フィールド１７５０は、４つのＯＦＤＭシンボルを含む。この実施形態では、しかしながら、ブロック符号化された信号フィールド１７５０は、テールビットの複数の繰り返し（本例では、４回の繰り返し）を含む。
【０１０６】
ある実施形態では、制御モードデータユニットの信号フィールドは、通常モードデータユニットの信号フィールド形式と比較して異なる形式を有する。このような実施形態では、制御モードデータユニットの信号フィールドは、通常モードデータユニットの信号フィールドと比較して短い。例えば、一実施形態では、制御モードでは、１つの変調及び符号化スキームが使用され、制御モード信号フィールドで伝達することが必要となる変調及びコーディングに関する情報はより少なくなる（又は伝達する必要がなくなる）。同様に、一実施形態では、制御モードデータユニットの最大長さは、通常モードの最大長さよりも短く、制御モード信号フィールドの長さサブフィールドに必要なビット数は少なくなる。一例として、一実施形態では、制御モード信号フィールドは、ＩＥＥＥ８０２．１１ｎ規格に従ってフォーマットされるが、特定のサブフィールド（例えば、低密度パリティ検査符号（ＬＤＰＣ）サブフィールド、時空間ブロック符号化（ＳＴＢＣ）サブフィールド等）は省略されている。これに加えて又は替えて、ある実施形態では、制御モード信号フィールドは、通常モード信号フィールドの巡回冗長検査（ＣＲＣ）サブフィールドと比較して短いＣＲＣサブフィールド（例えば、８ビット未満）を含む。一般的に、ある実施形態では、制御モードでは、特定の信号フィールドサブフィールドが省略される又は変更される、及び／又は、新規の情報が付加される。
【０１０７】
図１７Ｃは、このような一実施形態に係る、制御モード信号フィールド１７６０を示した図である。制御モード信号フィールド１７６０は、図１７Ａの信号フィールド１７００と同様な構成を有するが、（例えば、制御モードでは１つのレートのみ規定されていることから）レートサブフィールドが信号フィールド１７６０から省略されている。そして、信号フィールド１７６０は、チャネルサウンディングプロセスにおいてヌルデータパケットを通知するための、空間時間ストリーム（Ｎｓｔｓ）数サブフィールド１７６４を含む。
【０１０８】
図１７Ｄは、別の実施形態に係る制御モード信号フィールド１７７０を示した図である。制御モード信号フィールド１７７０は、図１７Ａの信号フィールド１７００と同様な構成を有するが、レートフィールドが省略されており、チャネルサウンディングプロセスにおいてヌル（Ｎｕｌｌ）データパケットを通知するための、ヌルデータパケットフィールド（ＮＤＰ）１７７２を含む。信号フィールド１７７０はまた、長さフィールド１７７４に含まれる空間時間ストリーム数を示す情報を含む。
【０１０９】
図１８Ａは、別の実施形態に係る、制御モードデータユニットを生成するＰＨＹ処理ユニット１８００の一例を示したブロック図である。ある実施形態では、ＰＨＹ処理ユニット１８００は、制御モードデータユニットの信号フィールド及び／又はデータフィールドを生成する。図１に示すように、一実施形態では、ＡＰ１４及びクライアント局２５−１はそれぞれ、ＰＨＹ処理ユニット１８００のようなＰＨＹ処理ユニットを含む。
【０１１０】
ＰＨＹ処理ユニット１８００は、ブロック符号化ユニット１８０９がＢＣＣエンコーダ（１８０６）の後に位置していること以外は、図１５ＡのＰＨＹ処理ユニット１５００と同様な構成を有する。この実施形態では、情報ビットはまずＢＣＣエンコーダ１８０６によって符号化され、ＢＣＣ符号化されたビットが複製される又はブロック符号化ユニット１８０８によってブロック符号化される。一実施形態では、ＰＨＹ処理ユニット１５００の実施形態のように、ＢＣＣエンコーダ１８０６による処理が、生成されるフィールド全体（例えば、データフィールド全体、信号フィールド全体等）にわたって連続して実行される。このような実施形態では、生成されるフィールドに対応する情報ビットは、まずＢＣＣエンコーダ１８０６によって符号化されて、ＢＣＣ符号化されたビットが、規定されたサイズ（例えば、６ビット、１２ビット、１３ビット、又は、任意のその他のビット数）を有する複数のブロックに分割される。そして、各ブロックがブロック符号化ユニット１８０８によって処理される。一例として、一実施形態では、ＢＣＣエンコーダ１８０６は、符号化レート１／２を使用して１つのＯＦＤＭシンボルあたり１２情報ビットを符号化して、２４個のＢＣＣ符号化ビットを生成し、このＢＣＣ符号化ビットをブロック符号化ユニット１８０８に供給する。一実施形態では、ブロック符号化ユニット１８０８は、入力されたブロックそれぞれについて２個のコピーを生成して、生成されたビットを、あるコーディングスキームに従ってインターリーブして、ＯＦＤＭシンボル内に含める４８ビットを生成する。このような一実施形態では、この４８ビットは、ＩＤＦＴ処理ユニット１８１８においてサイズ６４の高速フーリエ変換（ＦＦＴ）を使用して生成された４８データトーンに対応する。別の例として、別の実施形態では、ＢＣＣエンコーダ１８０６は、符号化レート１／２を使用して１つのＯＦＤＭシンボルあたり６情報ビットを符号化して、１２個のＢＣＣ符号化ビットを生成し、このＢＣＣ符号化ビットをブロック符号化ユニット１８０８に供給する。一実施形態では、ブロック符号化ユニット１８０８は、入力されたブロックそれぞれについて２個のコピーを生成して、生成されたビットを、あるコーディングスキームに従ってインターリーブして、ＯＦＤＭシンボル内に含める２４ビットを生成する。このような一実施形態では、この２４ビットは、ＩＤＦＴ処理ユニット１８１８においてサイズ３２のＦＦＴを使用して生成された２４データトーンに対応する。
【０１１１】
図１５Ａのブロック符号化ユニット１５０４と同様に、ブロック符号化ユニット１８０８が、制御モードデータユニットの信号フィールドを生成するべく使用する繰り返し及び符号化スキームは、実施形態に応じて、制御モードデータユニットのデータ部分の生成に使用される繰り返し及び符号化スキームとは異なる又は同じである。様々な実施形態において、ブロック符号化ユニット１８０８は、図１５Ａのブロック符号化ユニット１５０４に関して上記で説明したような、"ブロックレベル"繰り返しスキーム又は"ビットレベル"繰り返しスキームを実装する。同様に、別の実施形態では、ブロック符号化ユニット１８０８は、入力されたビットのｍ個のコピーを生成して、生成されたビットストリームを、任意の好適なコードに従ってインターリーブする。又は、入力されたビット又はビットの入力されたブロックを、好適なコード、例えば、ハミング（Hamming）ブロック符号を使用して、符号化レート１／２、１／４で符号化する。又は、任意のその他のブロック符号を使用して、符号化レート１／２、１／４で符号化する（例えば、（１，２）又は（１，４）ブロック符号、（１２，２４）ブロック符号又は（６，２４）ブロック符号、（１３，２６）ブロック符号等）。
【０１１２】
一実施形態によれば、ＰＨＹ処理ユニット１８００によって生成されるデータユニットに対する有効符号化レートは、ＢＣＣエンコーダ１８０６によって使用される符号化レートと、ブロック符号化ユニット１８０８によって使用される繰り返しの数（又は符号化レート）の積になる。
【０１１３】
ある実施形態では、ブロック符号化ユニット１８０８は、十分なダイバーシチ利得を提供し、符号化ビットの更なるインターリーブが必要なくなるため、インターリーバ１８１０は省略される。インターリーバ１８１０を省略する利点として、本例の場合、１シンボルあたりのビット数が整数値でない状況であっても、５２データトーンを有するＯＦＤＭシンボルを、４回繰り返しスキーム又は６回繰り返しスキームを使用して生成できることが挙げられる。例えば、このような一実施形態では、ＢＣＣエンコーダ１８０６の出力は、１３ビットのブロックに分けられて、各ブロックがそれぞれ、４回繰り返され（又はレート１／４でブロック符号化され）て、ＯＦＤＭシンボルに含められる５２ビットが生成される。この例において、ＢＣＣエンコーダが符号化レート１／２を使用する場合、１シンボルあたりのデータビットの数は、６．５に等しい。６回繰り返しを使用する実施形態では、ＢＣＣエンコーダ１８０６は、符号化レート１／２を使用して情報ビットを符号化し、その出力が４ビットずつのブロックに分けられる。ブロック符号化ユニット１８０８は、４ビットのブロックを６回繰り返した上に（又は、各ブロックを符号化レート１／６を使用してブロック符号化した上に）、４パディングビットを付加して、ＯＦＤＭシンボルに含めるべき５２ビットを生成する。
【０１１４】
上記で図１５ＡのＰＨＹ処理ユニット１５００の例で説明したように、ＰＨＹ処理ユニット１８００がパディングを使用する場合には、パディングビット計算に使用される１シンボルあたりのデータビットの数（ＮＤＢＰＳ）は、１つのＯＦＤＭシンボルにおける非冗長データビットの実際の数（例えば、上記の例では、６ビット、１２ビット、１３ビット、又は、その他の好適なビット数）である。パディングビットの計算で使用される１シンボルあたりの符号化されたデータビットの数（ＮＣＢＰＳ）は、１つのＯＦＤＭシンボルに含まれる実際のビットの数に等しい（例えば、２４ビット、４８ビット、５２ビット、又は、１つのＯＦＤＭシンボルに含まれるその他の好適なビット数）。
【０１１５】
図１５ＡのＰＨＹ処理ユニット１５００の例と同様に、ＢＣＣエンコーダ１８０６が適切に動作するように、複数のテールビットをデータユニットの各フィールドに付加して、例えば、ＢＣＣエンコーダが各フィールドを符号化した後で、ゼロステートに戻ることを確かにしている。一実施形態では、例えば、データ部分がＢＣＣエンコーダ１８０６に供給される前に（すなわち、ビットがブロック符号化ユニット１５０４によって処理された後）６個のテールビットを、データ部分の終わりに挿入する。同様に、信号フィールドの場合、一実施形態では、信号フィールドがＢＣＣエンコーダ１８０６に供給される前に、テールビットが信号フィールドの終わり部分に挿入される。ブロック符号化ユニット１８０８が、４回繰り返しスキーム（又は符号化レート１／４の別のブロック符号）を使用する一実施形態では、ＢＣＣエンコーダ１８０６は符号化レート１／２を使用し、信号フィールドは２４個の情報ビット（テールビットを含む）を含み、この２４信号フィールドビットがＢＣＣ符号化されて４８個のＢＣＣ符号化ビットが生成される。そして、生成された４８ビットが、１２ビットのブロック４つに分けられて、ブロック符号化ユニット１８０８により更に符号化される。したがって、この実施形態では、信号フィールドが、４つのＯＦＤＭシンボルにわたって送信されて、ＯＦＤＭシンボルはそれぞれ、信号フィールドの６つの情報ビットを含む。
【０１１６】
図１５Ａ〜図１７Ｄを参照して上記で説明したように、ある実施形態では、制御モードデータユニットの信号フィールドは、通常モードデータユニットの信号フィールドと比較して短い（すなわち、少ないビットを含む）。したがって、このような実施形態では、同じ繰り返し及び符号化スキームを使用して長い信号フィールドが生成される実施形態と比較して、信号フィールドを送信するのに必要となるＯＦＤＭシンボルの数が少なくなる。
【０１１７】
ある実施形態では、ＰＨＹ処理ユニット１８００は、ＩＥＥＥ８０２．１１ｎ規格又はＩＥＥＥ８０２．１１ａｓ規格で規定されるＭＣＳ０にしたがって、５２個のデータトーンが存在する複数のＯＦＤＭシンボルを生成し、ブロック符号化ユニット１８０８は、４個の繰り返しスキームを使用する。このような実施形態の一部では、更にパディングが使用されて、１つのＯＦＤＭシンボルに含まれる符号化されたデータストリームが、５２ビットを有するのを確かにする。このような実施形態では、ビットがブロック符号化ユニット１８０８によって処理された後に、符号化された情報にパディングビットが付加される。
【０１１８】
図１８Ａの実施形態では、ＰＨＹ処理ユニット１８００は更に、ピーク対平均電力比（ＰＡＰＲ）低減ユニット１８０９を備える。一実施形態では、ピーク対平均電力比低減ユニット１８０９は、繰り返されているブロックの一部又は全てにおけるビットをフリップして、同じビットシーケンスがＯＦＤＭシンボル内の異なる周波数位置に発生する確率を低減する又は０にして、出力信号のピーク対平均電力比を低減させる。一般的に、ビットフリップは、０のビット値を１に変更し、１のビット値を０に変更する。一実施形態では、ＰＡＰＲ低減ユニット１８０９は、ＸＯＲ演算を使用してビットフリップを実装する。例えば、符号化されたビットのブロックを４回繰り返す場合、１つのＯＦＤＭシンボルに含められる符号化されたビットの１ブロックをCと表記し、C'=C XOR と表記する（すなわち、ブロックCがビットフリップされた）とする。ある実施形態において、ＰＡＰＲ低減ユニット１８０９の出力におけるビットシーケンスは、[C C' C' C']，[C' C' C' C]，[C C' C C']，[C C C C']等となる。一般的に、ビットフリップされたブロックと、ビットフリップされていないブロックとの組み合わせを使用することができる。ある実施形態では、ＰＡＰＲユニット１８０９は省略される。
【０１１９】
図１８Ｂは、別の実施形態に係る、制御モードデータユニットを生成するＰＨＹ処理ユニット１８５０の一例を示したブロック図である。ある実施形態では、ＰＨＹ処理ユニット１８５０は、制御モードデータユニットの信号フィールド及び／又はデータフィールドを生成する。図１に示すように、一実施形態では、ＡＰ１４及びクライアント局２５−１はそれぞれ、ＰＨＹ処理ユニット１８５０のようなＰＨＹ処理ユニットを含む。
【０１２０】
ＰＨＹ処理ユニット１８５０は、ＢＣＣエンコーダ１５０６がＬＤＰＣエンコーダ１８５６に置き換えられること以外は、図１８ＡのＰＨＹ処理ユニット１８００と同様な構成を有する。この実施形態では、情報ビットはまずＬＤＰＣエンコーダ１８５６によって符号化され、ＬＤＰＣ符号化されたビットが複製される又はブロック符号化ユニット１８０８によってブロック符号化される。一実施形態では、ＬＤＰＣエンコーダ１８５６は、符号化レート１／２に対応するブロック符号、又は、別の好適な符号化レートに対応するブロック符号を使用する。図示の実施形態では、ＰＨＹ処理ユニット１８５０はインタリーバ１８１０を省略しているが、これは、一実施形態では、情報ストリームにおける隣接する複数のビットが多くの場合、ＬＤＰＣ符号自体によって拡散されており、更なるインターリーブが必要ないからである。加えて、一実施形態では、ＬＤＰＣトーン再マッピングユニット１８６０によって、更なる周波数ダイバーシチが提供される。一実施形態によれば、ＬＤＰＣトーン再マッピングユニット１８６０は、トーン再マッピング関数に従って、符号化された情報ビット又は符号化された情報ビットのブロックの、再並び替えを行う。トーン再マッピング関数は、連続した符号化済み情報ビット又は連続した情報ビットのブロックを、ＯＦＤＭシンボルにおける不連続なトーンにマッピングして、連続した複数のＯＦＤＭトーンが伝送の間に悪い影響を受けた場合に、データの回復を容易にする。ある実施形態では、ＬＤＰＣトーン再マッピングユニット１８６０は省略される。
【０１２１】
図１９Ａは、別の実施形態に係る、制御モードデータユニットを生成するＰＨＹ処理ユニット１９００の一例を示したブロック図である。ある実施形態では、ＰＨＹ処理ユニット１９００は、制御モードデータユニットの信号フィールド及び／又はデータフィールドを生成する。図１に示すように、一実施形態では、ＡＰ１４及びクライアント局２５−１はそれぞれ、ＰＨＹ処理ユニット１９００のようなＰＨＹ処理ユニットを含む。
【０１２２】
ＰＨＹ処理ユニット１９００は、ブロック符号化ユニット１９１６がコンスタレーションマッパ１９１４の後に位置していること以外は、図１８ＡのＰＨＹ処理ユニット１８００と同様な構成を有する。したがって、この実施形態では、インターリーバ１９１０によって処理された後、ＢＣＣ符号化された情報ビットはコンスタレーションシンボルにマッピングされて、次いでコンスタレーションシンボルが複製される又はブロック符号化ユニット１９１６によってブロック符号化される。一実施形態において、ＢＣＣエンコーダ１９０６による処理は、生成されるフィールド全体にわたって（例えば、データフィールド全体、信号フィールド全体等）連続して実行される。この実施形態では、生成されるフィールドに対応する情報ビットはまず、ＢＣＣエンコーダ１８０６によって符号化されて、ＢＣＣ符号化されたビットが、コンスタレーションマッパ１９１４によってコンスタレーションシンボルにマッピングされる。そして、コンスタレーションシンボルが、規定されたサイズ（例えば、６ビット、１２ビット、１３ビット、又は、任意のその他のビット数）を有する複数のブロックに分割され、各ブロックがブロック符号化ユニット１９１６によって処理される。２回繰り返しを使用する実施形態では、コンスタレーションマッパ１９１４は、２４個のコンスタレーションシンボルを生成し、ブロック符号化ユニット１９１６は、２４個のシンボルのコピーを２つ生成して、ＯＦＤＭシンボルの４８データトーン（例えば、ＩＥＥＥ８０２．１１ａ規格に規定されるように）に対応する４８シンボルが生成される。別の例として、４回繰り返しを使用する実施形態では、コンスタレーションマッパ１９１４は、１２個のコンスタレーションシンボルを生成し、ブロック符号化ユニット１９１６は、１２個のコンスタレーションシンボルのコピーを４つ生成して、ＯＦＤＭシンボルの４８データトーン（例えば、ＩＥＥＥ８０２．１１ａ規格に規定されるように）に対応する４８シンボルが生成される。更に別の例として、２回繰り返しを使用する実施形態では、コンスタレーションマッパ１９１４は、２６個のコンスタレーションシンボルを生成し、ブロック符号化ユニット１９１６は、２６個のシンボルを繰り返して（すなわち、２６個のシンボルのコピーを２つ生成して）、ＯＦＤＭシンボルの５２データトーン（例えば、ＩＥＥＥ８０２．１１ｎ又はＩＥＥＥ８０２．１１ａｃ規格に規定されるように）に対応する５２シンボルが生成される。一般的に、様々な実施形態及び／又はシナリオにおいて、ブロック符号化ユニット１９１６は、入力されるコンスタレーションシンボルのブロックの好適な数のコピーを生成し、生成されたシンボルを任意のコーディングスキームに従ってインターリーブする。図１５Ａのブロック符号化ユニット１５０４及び図１８Ａのブロック符号化ユニット１８０８と同様に、ブロック符号化ユニット１９１６が、制御モードデータユニットの信号フィールドを生成するべく使用する繰り返し及び符号化スキームは、実施形態に応じて、制御モードデータユニットのデータ部分の生成のためにブロック符号化ユニット１９１６が使用する繰り返し及び符号化スキームと、異なる又は同じである。
【０１２３】
一実施形態によれば、ＰＨＹ処理ユニット１９００によって生成されるデータユニットに対する有効符号化レートは、ＢＣＣエンコーダ１９０６によって使用される符号化レートと、ブロック符号化ユニット１９１６によって使用される繰り返しの数（又は符号化レート）の積になる。
【０１２４】
一実施形態では、この場合、情報ビットがコンスタレーションシンボルにマッピングされた後に冗長性が導入されることから、ＰＨＹ処理ユニット１９００によって生成されるＯＦＤＭシンボルはそれぞれ、通常モードデータユニットに含まれるＯＦＤＭトーンと比較して、少ない数の非冗長データトーンを含む。したがって、インターリーバ１９１０は、通常モードで使用されるインターリーバ（例えば、図１４のインターリーバ１４１０）と比較して、又は、対応する短距離データユニットの生成に使用されるインターリーバと比較して、１つのＯＦＤＭシンボルあたり少ない数のトーンに対して演算を行うように設計される。例えば、１つのＯＦＤＭシンボルあたり１２個の非冗長データトーンが使用される実施形態では、インターリーバ１９１０は、列数（Ｎｃｏｌ）が６、行数（Ｎｒｏｗ）が一サブキャリアあたりのビット数（Ｎｂｐｓｃｓ）×２を使用するように設計されている。１つのＯＦＤＭシンボルあたり１２個の非冗長データトーンが使用される別の実施形態では、インターリーバ１９１０は、Ｎｃｏｌが４、及び、ＮｒｏｗがＮｂｐｓｃｓ×２を使用するように設計される。別の実施形態では、通常モードで使用されるインターリーバパラメータとは異なる、その他のインターリーバパラメータをインターリーバ１９１０に使用する。これに替えて、一実施形態では、ブロック符号化ユニット１９１６は、十分なダイバーシチ利得を提供し、符号化ビットの更なるインターリーブが必要なくなるため、インターリーバ１９１０は省略される。この場合、図１８ＡのＰＨＹ処理ユニット１８００を使用する実施形態では、５２データトーンを有するＯＦＤＭシンボルを、一シンボルあたりのビット数が整数値でない状況であっても、４回繰り返しスキーム又は６回繰り返しスキームを使用して生成できる。
【０１２５】
上記で図１５ＡのＰＨＹ処理ユニット１５００の例又は図１８ＡのＰＨＹ処理ユニット１８００で説明したように、ＰＨＹ処理ユニット１９００がパディングを使用する場合には、パディングビット計算に使用される一シンボルあたりのデータビットの数（ＮＤＢＰＳ）は、１つのＯＦＤＭシンボルにおける非冗長データビットの実際の数である（例えば、上記の例では、６ビット、１２ビット、１３ビット、又は、その他の好適なビット数）。パディングビットの計算で使用される一シンボルあたりの符号化されたデータビットの数（ＮＣＢＰＳ）は、１つのＯＦＤＭシンボルに含まれる非冗長ビットの数に等しく、本例では、ブロック符号化ユニット１９１６によって処理されたコンスタレーションシンボルのブロックにおけるビットの数（例えば、１２ビット、２４ビット、２６ビット等）。
【０１２６】
図１５ＡのＰＨＹ処理ユニット１５００の例と同様に、ＢＣＣエンコーダ１９０６が適切に動作するように、複数のテールビットをデータユニットの各フィールドに付加して、例えば、ＢＣＣエンコーダが各フィールドを符号化した後で、ゼロステートに戻ることを確かにしている。一実施形態では、例えば、データ部分がＢＣＣエンコーダ１９０６に供給される前に、６個のテールビットを、データ部分の終わりに挿入する。同様に、信号フィールドの場合、一実施形態では、信号フィールドがＢＣＣエンコーダ１９０６に供給される前に、テールビットが信号フィールドの終わり部分に挿入される。ブロック符号化ユニット１９１６が、４回繰り返しスキーム（又は符号化レート１／４の別のブロック符号）を使用する一実施形態では、ＢＣＣエンコーダ１９０６は符号化レート１／２を使用し、信号フィールドは２４個の情報ビット（テールビットを含む）を含み、この２４信号フィールドビットが、コンスタレーションマッパ１９１４によってコンスタレーションポイントにマッピングされる。そして、生成された４８ビットが、１２ビットのブロック４つに分けられて、ブロック符号化ユニット１８０８により更に符号化される。したがって、この実施形態では、信号フィールドが、４つのＯＦＤＭシンボルにわたって送信されて、ＯＦＤＭシンボルはそれぞれ、信号フィールドの６つの情報ビットを含む。
【０１２７】
図１５Ａ〜図１７Ｄを参照して上記で説明したように、ある実施形態では、制御モードデータユニットの信号フィールドは、通常モードデータユニットの信号フィールドと比較して短い（すなわち、少ないビットを含む）。したがって、このような実施形態では、同じ繰り返し及び符号化スキームを使用して長い信号フィールドが生成される実施形態と比較して、信号フィールドを送信するのに必要となるＯＦＤＭシンボルの数が少なくなる。
【０１２８】
ある実施形態では、ＰＨＹ処理ユニット１９００は、ＩＥＥＥ８０２．１１ｎ規格又はＩＥＥＥ８０２．１１ａｓ規格で規定されるＭＣＳ０にしたがって、５２個のデータトーンが存在する複数のＯＦＤＭシンボルを生成し、ブロック符号化ユニット１９１６は、４個の繰り返しスキームを使用する。このような実施形態の一部では、更にパディングが使用されて、１つのＯＦＤＭシンボルに含まれる符号化されたデータストリームが、５２ビットを有するのを確かにする。このような実施形態では、ビットがブロック符号化ユニット１８０８によって処理された後に、符号化された情報にパディングビットが付加される。
【０１２９】
図１９Ａの実施形態では、ＰＨＹ処理ユニット１９００は更に、ピーク対平均電力比（ＰＡＰＲ）低減ユニット１９１７を備える。一実施形態では、ピーク対平均電力比低減ユニット１９１７は、繰り返されたコンスタレーションを使用して変調されたデータユニットの一部に位相シフトを付加する。例えば、一実施形態では、付加される位相シフトは、１８０°である。１８０°の位相シフトは、ビットの符号フリップに対応し、位相シフトが実装されるデータトーンを変調する。別の実施形態では、ＰＡＰＲ低減ユニット１９１７は、１８０°以外の位相シフト（例えば、９０°位相シフト又は任意のその他の好適な位相シフト）を付加する。一例として、４回繰り返しを使用する一実施形態では、ＯＦＤＭシンボルに含められ、１２コンスタレーションシンボルからなる１ブロックをCと表記し、単純なブロック繰り返しが実行される場合には、［C, C, C, C］というシーケンスが生成される。ある実施形態では、ＰＡＰＲ低減ユニット１９１７は、繰り返されるブロックの一部に対して、符号フリップ（すなわち、−C）又は９０°位相シフト（すなわち、j*C）を導入する。このような一実施形態では、生成されるシーケンスは、例えば、[C -C -C -C]，[-C -C -C -C]，[C -C C -C]，[C C C -C]，[C j*C, j*C, j*C]、又は、C，-C，j*C及びj*Cのその他の組み合わせである。一般的に、様々な実施形態及び／又はシナリオにおいて、任意の繰り返されたブロックに好適な位相シフトを導入することができる。ある実施形態では、ＰＡＰＲ低減ユニット１８０９が省略される。
【０１３０】
ある実施形態では、ＰＨＹ処理ユニット１９００は、ＩＥＥＥ８０２．１１ｎ規格又はＩＥＥＥ８０２．１１ａｓ規格で規定されるＭＣＳ０にしたがって、５２個のデータトーンが存在する複数のＯＦＤＭシンボルを生成し、ブロック符号化ユニット１９１６は、４個の繰り返しスキームを使用する。このような一実施形態では、更なるパイロットトーンを挿入して、生成される１つのＯＦＤＭシンボル内のデータトーン及びパイロットトーンの数が、短距離通信プロトコルで規定されるように、５６に等しくなるようにする。一例として、６個の情報ビットが、符号化レート１／２でＢＣＣ符号化されて、符号化された１２ビットが、１２個のコンスタレーションシンボルにマッピングされる（ＢＰＳＫ）。１２個のコンスタレーションシンボルで、１２個のデータトーンが変調され、これが４回繰り返されて、４８個のデータトーンが生成される。ＩＥＥＥ８０２．１ｎに規定されるように、４つのパイロットトーンが付加され、更に４つのパイロットトーンが付加されて、５６個のデータトーン及びパイロットトーンが生成される。
【０１３１】
図１９Ｂは、別の実施形態に係る、制御モードデータユニットを生成するＰＨＹ処理ユニット１９５０の一例を示したブロック図である。ある実施形態では、ＰＨＹ処理ユニット１９５０は、制御モードデータユニットの信号フィールド及び／又はデータフィールドを生成する。図１に示すように、一実施形態では、ＡＰ１４及びクライアント局２５−１はそれぞれ、ＰＨＹ処理ユニット１９５０のようなＰＨＹ処理ユニットを含む。
【０１３２】
ＰＨＹ処理ユニット１９５０は、ＢＣＣエンコーダ１９０６がＬＤＰＣエンコーダ１９５６に置き換えられること以外は、図１９ＡのＰＨＹ処理ユニット１９００と同様な構成を有する。この実施形態では、ＬＤＰＣ符号化された情報ビットがコンスタレーションマッパ１９１４によってコンスタレーションシンボルにマッピングされ、コンスタレーションシンボルが、複製される、又は、ブロック符号化ユニット１９１６によってブロック符号化される。実施形態では、ＬＤＰＣエンコーダ１９５６は、符号化レート１／２に対応するブロック符号、又は、別の好適な符号化レートに対応するブロック符号を使用する。図示の実施形態では、ＰＨＹ処理ユニット１９５０はインタリーバ１９１０を省略しているが、これは、情報ストリームにおける隣接する複数のビットが多くの場合、ＬＤＰＣ符号自体によって拡散されており、更なるインターリーブが必要ないからである。加えて、一実施形態では、ＬＤＰＣトーン再マッピングユニット１９６０によって、更なる周波数ダイバーシチが提供される。一実施形態によれば、ＬＤＰＣトーン再マッピングユニット１９６０は、トーン再マッピング関数に従って、符号化された情報ビット又は符号化された情報ビットのブロックの、再並び替えを行う。トーン再マッピング関数は、連続した符号化済み情報ビット又は連続した情報ビットのブロックを、ＯＦＤＭシンボルにおける不連続なトーンにマッピングして、連続した複数のＯＦＤＭトーンが伝送の間に悪い影響を受けた場合に、データの回復を容易にする。ある実施形態では、ＬＤＰＣトーン再マッピングユニット１９６０は省略される。
【０１３３】
図１５Ａから図１９Ｂを参照して上記で説明した実施形態では、制御モードは、周波数ドメインにおいてビットを繰り返すことにより冗長性を導入する。これに替えて、ある実施形態では、制御モードデータユニットにおける信号フィールド及び／又はデータフィールドのＯＦＤＭシンボルの繰り返しが、時間ドメインで実行される。例えば、図２０Ａには、一実施形態に係る、制御モードデータユニットのプリアンブルにおけるＨＴ−ＳＩＧ１フィールド及びＨＴ−ＳＩＧ２フィールドのＯＦＤＭシンボルがそれぞれ２回繰り返されている構成が示されている。同様に、図２０Ｂには、一実施形態に係る、制御モードデータユニットのプリアンブルにおけるＬ−ＳＩＧフィールドのＯＦＤＭシンボルがそれぞれ２回繰り返される構成が示されている。
【０１３４】
図２０Ｃは、一実施形態に係る、制御モードデータユニットのデータ部分におけるＯＦＤＭシンボルの時間ドメイン繰り返しスキームを示した図である。図２０Ｄは、別の実施形態に係る、データ部分におけるＯＦＤＭシンボルの繰り返しスキームを示した図である。図２０Ｃに示す実施形態では、ＯＦＤＭシンボルの繰り返しが連続して出力され、図２０Ｄに示す実施形態では、ＯＦＤＭシンボルの繰り返しがインターリーブされる。様々な実施形態及び／又はシナリオにおいて、通常、ＯＦＤＭシンボルの繰り返しは、任意の好適なインタリーブスキームに従って、インターリーブされる。
【０１３５】
時間ドメイン繰り返しスキームを利用する一実施形態では、パイロットトーン符号が、例えば、ＩＥＥＥ８０２．１１ａ又はＩＥＥＥ８０２．１１ｎに規定されるように、一のトーンと次のトーンとの間で変更される。このような実施形態では、繰り返されたＯＦＤＭシンボルにおける複数のパイロットトーンは、少なくともある状況において、入力される（元の）ＯＦＤＭシンボルにおけるパイロットトーンと同じではない。
【０１３６】
ある実施形態では、制御モードデータユニットに使用されるプリアンブル（"制御モードプリアンブル"）は、通常モードデータユニットに使用されるプリアンブル（"通常モードプリアンブル"）とは異なる。例えば、ある実施形態では、制御モードプリアンブルは、良好なチャネル推定を行うために長いロングトレーニングシーケンスを含む、又は、良好なパケット検出及び同期のための長いショートトレーニングシーケンスを含む。ある実施形態では、制御モードプリアンブルは、追加のプリアンブルを含む又は通常モードプリアンブルを含む。更に、制御モードプリアンブルが通常モードプリアンブルとは異なる一実施形態では、受信機が、入力されるデータユニットが制御モード又は通常モードの何れかに対応しているかを決定可能又は自動検出可能な態様で、制御モードプリアンブルが生成され、したがって、受信機はデータユニットを適切にデコードすることができる。
【０１３７】
図２１は、一実施形態に係る、通常モードデータユニットに含まれるプリアンブルと比較して長いプリアンブルを含む制御モードデータユニット２１００の一例を示した図である。制御ＰＨＹデータユニット２１００は、ＨＴ−ＬＴＦ２フィールド２１０８が、通常ＰＨＹデータユニット１０００の各ＨＴ−ＬＴＦフィールド１０１２よりも長い点を除いて、図１０の通常ＰＨＹデータユニット１０００と同様である。より詳細には、データユニット２１００は、２つのＯＦＤＭシンボルを占め８０μｓにわたって送信されるＨＴ−ＬＴＦフィールド２１０８を含む。通常ＰＨＹデータユニット１０００の各ＨＴ−ＬＴＦフィールド１０１２を送信するのには、１つのＯＦＤＭシンボルが使用され、４０μｓにわたって送信される。
【０１３８】
一実施形態では、ロングトレーニングフィールドが（例えば、通常モードで使用されたロングトレーニングフィールドの複数の繰り返しを導入することにより）、任意の好適な数のＯＦＤＭシンボルにわたるように延長される。図２２Ａ及び図２２Ｂには、通常モードプリアンブルよりも多いロングトレーニングフィールドの繰り返しが制御モードプリアンブルに導入される一実施形態が示されている。詳細には、図２２Ａには、一実施形態に係る、通常モードデータユニットのロングトレーニングフィールド２２００が示されている。ロングトレーニングフィールド２２００は、ダブルガードインターバル（ＤＧＩ）２２０２、及び、ロングトレーニングシーケンス２２０４の２回繰り返しを含む。一実施形態では、ＤＧＩは、例えば、２×０．８μｓに等しい。別の実施形態では、ＤＧＩの別の値が使用される。図２２Ａに示されるように、通常モードデータユニットのロングトレーニングフィールドの継続期間は８Ｎμｓである。ここでＮは、データユニットを生成するのに使用されたダウンクロック比である。
【０１３９】
図２２Ｂは、一実施形態に係る、制御モードデータユニットのロングトレーニングフィールド２５００を示した図である。ロングトレーニングフィールド２５００は、新規のガードインターバル（新規ＧＩ）フィールド２５０２、及び、ロングトレーニングシーケンス２５０４の８回の繰り返しを含む。一実施形態において、新規のＧＩ期間は、データユニット２２００における通常モードＤＧＩ期間よりも長い。別の実施形態では、新規のＧＩ期間は、データユニット２２００における通常モードＤＧＩ期間と等しい。図２２Ｂに示されるように、図示の実施形態では、制御モードロングトレーニングフィールド２５００の継続期間は、６４Ｎμｓである。別の実施形態では、ロングトレーニングシーケンスのその他の好適な回数の繰り返しが利用され、通常モード及び／又は制御モードにおいて、その他の好適な長さを有するロングトレーニングフィールドが生成され、制御モードＬＴＦフィールドは、通常モードＬＴＦフィールドよりも、好適な比を掛けた分長くなる。
【０１４０】
別の実施形態では、制御モードプリアンブルは、通常モードデータユニットに含まれる規定のプリアンブルに加えて、追加のプリアンブルを含む。図２３には、一実施形態に係る制御モードＯＦＤＭデータユニット２３００が示されている。データユニット２３００は、シングルキャリア（ＳＣ）追加プリアンブル部分２３０２を含む点を除いては、図１３の通常モードデータユニット１３００と同様である。追加ＳＣプリアンブル２２０２は、ＳＹＮＣフィールド２２０４及びＳＦＤフィールド２２０６を含む。一実施形態において、データユニット２３００のＳＣプリアンブルは、少なくとも実質的に、データユニット８００（図８）のＰＬＣＰプリアンブル８１４と同様であり、ＯＦＤＭ部分２３１２を生成するのに使用されたダウンクロック比と同じダウンクロック比Ｎだけダウンクロックされる。別の実施形態では、ＳＣプリアンブル部分２３０２に使用されるダウンクロック比は、ＯＦＤＭ部分２２１２に使用されるダウンクロック比と異なる。
【０１４１】
図２４には、別の実施形態に係る、制御モードにおける追加プリアンブルを利用する制御モードＯＦＤＭデータユニット２４００が示されている。データユニット２４００は、ＳＹＮＣフィールド２２０４が図２４のゴレイ（Golay）符号フィールド２３０４に置き換えられることを除いては、図２２Ａのデータユニット２２００と同様である。ある実施形態では、ゴレイ符号（Golay code）フィールドは、例えば、ゴレイ相補シーケンス（ＧＣＳ）の複数の繰り返しを含む。一実施形態において、繰り返しの回数は、利用される特定のゴレイシーケンスの長さ、及び、データユニット１６００のプリアンブル全体の長さに依存する。幾つかの実施形態では、長さが、１６、３２、６４、１２８又はその他の好適な長さのゴレイシーケンスが使用される。ある実施形態では、長距離通信プロトコルは、ゴレイシーケンスの異なる数の繰り返しで構成されており、長いプリアンブル及び短いプリアンブルを規定する。このような一実施形態では、長いプリアンブルの場合と短いプリアンブルの場合とで、異なる相補シーケンスが使用され（例えば、長いプリアンブルにはＧａシーケンス、短いプリアンブルにはＧｂシーケンスを使用する）、受信機が、受信したデータユニットがどちらの種類のプリアンブルか判断できるようにしている。一般的に、２つの相補シーケンスＧａ及びＧｂは、受信装置における検出に適した相関特性を有する。例えば、相補拡散シーケンスＧａ及びＧｂは、シーケンスＧａ及びＧｂの対応する位相不一致非周期自己相関係数の合計がゼロになるように選択されてもよい。ある実施形態では、相補シーケンスＧａ及びＧｂは、周期的相互相関がゼロ又はほぼゼロとなる。別の場合には、シーケンスＧａ及びＧｂは、狭いメインローブと低レベルのサイドローブとを有する非周期的相互相関を有してもよいし、狭いメインローブと低レベルのサイドローブとを有する非周期的自己相関を有してもよい。
【０１４２】
広い帯域幅のＯＦＤＭデータユニット（例えば、４０ＭＨｚ、８０ＭＨｚ、１６０ＭＨｚ等）に対してＳＣ追加プリアンブル部分を含む実施形態では、ＳＣプリアンブルは、ダウンクロックされた２０ＭＨｚサブバンドそれぞれにおいて繰り返される。ある実施形態、特に、シングルキャリア追加プリアンブルが、データプリアンブルのＯＦＤＭ部分を生成するのに使用されたクロック速度と異なるクロック速度で生成される場合、ＳＣ／ＯＦＤＭ境界の要件は、直接シーケンス・スペクトラム（direct sequence spread spectrum：ＤＳＳＳ）及びＯＦＤＭ境界要件について記載されたＩＥＥＥ８０２．１１ｇ規格に規定されているように定義される。一実施形態では、追加ＳＣプリアンブルの終端を決めるのに、スタートフレームデリミタ（ＳＦＤ）フィールド（例えば、図２３のＳＦＤフィールド２３０６、図２４のＳＦＤフィールド２４０６）が使用される。ある実施形態では、ＳＴＦフィールド（すなわち、図２３のフィールド２３０８、図２４のフィールド２４０８）は省略される。
【０１４３】
ある実施形態では、制御モードプリアンブルは、通常モードプリアンブルの延長されたショートトレーニングフィールドを含む。例えば、長いショートトレーニングフィールドを使用して、受信機におけるパケット検出を改善し、良好な同期を行う。このような一実施形態では、制御モードプリアンブルのショートトレーニングフィールドに含まれる期間の数は、通常モードプリアンブルに含まれる期間の数よりも多い。別の実施形態では、制御モードプリアンブルのショートトレーニングフィールドにおける各期間の継続時間は、通常モードプリアンブルのショートトレーニングフィールドにおける各期間の継続時間と比較して、長い。別の実施形態では、制御モードプリアンブルのショートトレーニングフィールドに含まれる期間の数は、通常モードプリアンブルに含まれる期間の数よりも多く、制御モードショートトレーニングフィールドに含まれる各期間は、通常モードショートトレーニングフィールドに含まれる各期間と比較して、長い。
【０１４４】
図２５Ａ及び図２５Ｂは、それぞれ、一実施形態に係る、制御プリアンブルに含まれるショートトレーニングシーケンスサブフィールド２５００、及び、通常モードプリアンブルに含まれるショートトレーニングシーケンスサブフィールド２５５０を示した図である。図に示すように、この実施形態では、ショートトレーニングフィールド２５００の各期間は、ショートトレーニングフィールド２５５０の各期間の長さの、２倍になっている。一実施形態において、通常モードのショートトレーニングフィールドの各ＯＦＤＭシンボルに含まれる非ゼロトーンの数と比較して、より多い非ゼロトーンを制御モードショートトレーニングシーケンスの各ＯＦＤＭシンボルに含めることにより、長いショートトレーニングシーケンスが生成される。一般的に、ショートトレーニングシーケンスの各期間は、繰り返しパターンを含まない。したがって、一実施形態において、制御モードプリアンブルの長いショートトレーニングシーケンスは、受信装置において通常モードデータユニットを検出するのに使用される相関器をトリガしない。言い換えると、このフォーマットは、受信装置が、受信装置における逆高速フーリエ変換（ＩＦＦＴ）ウィンドウにおける繰り返しパターン検出に基づいて、２つのモードを判別できるようにしている、
【０１４５】
図２５Ｃには、一実施形態に係る、ショートトレーニングフィールド２５００に対応する周波数ドメイン値を示した図である。図２５Ｃに示すように、この実施形態では、ショートトレーニングフィールド２５５０の各ＯＦＤＭシンボルが、＋／−８ＯＦＤＭトーンインデックスに対応する非ゼロ値を含む。一実施形態において、２つの非ゼロトーンは、例えば、p(-8)!=p(8)、及び、p(-8)!=-p(8)である。一般的に、様々な実施形態及び／又はシナリオにおいて、このような基準を満たす任意の値が、特定の非ゼロ値として使用される。一例として、一実施形態では、２つの非ゼロトーンの特定の値は、次の式のように規定される。
【数１】
2014506088.tif 000003
ここで、ａは倍率である。
【０１４６】
図２６Ａ及び図２６Ｂは、一実施形態係る、制御モードショートトレーニングシーケンス２６００及び通常モードショートトレーニングシーケンス２６５０を示した図である。図２６Ａ及び図２６Ｂの実施形態では、制御モードプリアンブルは、通常モードプリアンブルのショートトレーニングシーケンスと同じ期間の長さを有するショートトレーニングシーケンスを含むが、通常モードプリアンブルに含まれる繰り返しの数と比較して、より多くのシーケンスの繰り返しを含む。一実施形態では、トレーニングフィールド２６５０におけるショートトレーニングシーケンスは、あらかじめ定められたコードに従ってエンコードされ（例えば、連続する繰り返しについて、＋／−１を交互にする、又は、その他の好適な所定のコード）、受信装置が、ショートトレーニングフィールドに基づいて、制御モードと通常モードとの区別ができるようにする。
【０１４７】
図２６Ｃには、一実施形態に係る、図２６Ａのショートトレーニングシーケンス２６００に対応する周波数ドメイン値を示した図であり、ショートトレーニングフィールド２６００のショートトレーニングシーケンスの複数の繰り返しにわたって、＋１／−１が交互に適用された実施形態が示されている。図示の実施形態では、ショートトレーニングフィールド２６００の各ＯＦＤＭシンボルは、−１２、−４、４及び１２のＯＦＤＭトーンインデックスに対応する非ゼロ値を含む。様々な実施形態において、非ゼロトーンの特定の値は、互いに等しくない絶対値（すなわち、周期的でない）値である。一実施形態では、４つの非ゼロトーンの値は、一例として、次のように規定される。
【数２】
2014506088.tif 000004
ここで、ａは倍数である。
【０１４８】
別の実施形態では、ショートトレーニングフィールドのショートトレーニングシーケンスの複数の繰り返しにわたって、＋１／−１が交互に適用され、制御モードにおける連続したシーケンスの繰り返しにおける交互の符号は、例えば、シーケンスにおける非ゼロトーンを、周波数ドメインにおいて、２トーン分、右又は左にシフトさせることによって生成される。一例として、非ゼロトーンの値が、通常モードショートトレーニングシーケンスにおける[4, 8, 12, …, 24, -4, -8, …, -24]の位置のトーンである場合、制御モードのショートトレーニングシーケンスは、通常モード非ゼロトーンを２トーン分シフトして、[6, 10, 14, …, 26, -2, -6, …, -22]となる、又は、左側にシフトさせて、[2, 6, 10, 14, … , 22, -6, -10, …, -22, -26]となる。別の実施形態では、非ゼロトーンをシフトさせることに加えて、更なる非ゼロトーンを制御モードショートトレーニングシーケンスに加えて、より長いシーケンスを生成する。例えば、２つの追加非ゼロトーンを、非ゼロトーンが右側にシフトされる例では、トーンロケーション２及び−２６に付加し、非ゼロトーンが左側にシフトされる例では、トーンロケーション２６及び−２に付加する。その他の実施形態では、異なる数の非ゼロトーンを制御モードショートトレーニングシーケンス（例えば４、６、８等）に付加し、付加された非ゼロトーンが、その他の好適なトーン位置に存在する。更に、様々な実施形態では、非ゼロトーンは、好適な任意の値である。
【０１４９】
制御モードが、制御モードにおけるシングルキャリア追加プリアンブルを使用する実施形態（例えば、図２３のデータユニット２３００、図２４のデータユニット２４００）では、受信機は、入力されたエータユニットが制御モードデータユニットであるか又は通常モードデータユニットであるかを、プリアンブルの初期信号がシングルキャリア信号か又はＯＦＤＭ信号であるかに基づいて自動検出する。しかしながら、ある実施形態では、通常モードデータユニット並びに制御モードデータユニットは、追加シングルキャリアプリアンブルを含む。図２７Ａ及び図２７Ｂには、このような一実施形態に係る、制御モードデータユニット２７００及び通常モードデータユニット２７５０がそれぞれ示されている。この実施形態では、受信機における自動検出は、制御モードデータユニット及び通常モードデータユニットにおける異なるゴレイ符号シーケンス（ＧＣＳ）に基づく。例えば、一実施形態において、長さ１６のＧａシーケンスが、制御モードデータユニット２７００のシングルキャリアプリアンブル部分２７０６に使用され、長さ１６のＧｂシーケンスが、通常モードデータユニット２７５０のシングルキャリアプリアンブル部分２７５４に使用される。
【０１５０】
図２８Ａ及び図２８Ｂは、制御モード及び通常モードの両方でシングルキャリア追加プリアンブルが使用される別の実施形態に係る、制御モードデータユニット２８００及び通常モードデータユニット２８５０を示した図である。この実施形態では、ＳＣプリアンブル部分２６０６及びＳＣプリアンブル部分２８５４はそれぞれ、同じＧＳＣシーケンス（例えば、Ｇａ）を使用して生成され、自動検出は、対応するデリミタフィールド２８０６及び２８５６に適用されたカバーコードに基づいて行われる（例えば、符号フリップが適用される、又は、制御モードと通常モードとでは、異なるシーケンスが適用される）。
【０１５１】
図２９Ａ及び図２９Ｂには、受信装置が、ロングトレーニングフィールドの変調に基づいて、２つのモードを区別することができる別の実施形態に係る、制御モードデータユニット２９００及び通常モードデータユニット２９５０をそれぞれ示した図である。この場合、制御モードデータユニット２９００では、ＬＴＦ（２９５６−１）の第１番目のＯＦＤＭシンボルの対応するＯＦＤＭトーンの位相と比較して、ＬＴＦ（２９０６−２）のフィールド第２番目のＯＦＤＭシンボルにおける各トーンの位相が、シフトされる（例えば、π、π／２、−π／２、又は、任意のその他の好適な倍数）。一方、通常モードデータユニットのＬＴＦフィールド（２９５６−２）の第２シンボルに対しては、位相シフトが導入されない。
【０１５２】
ある実施形態では、受信装置におけるモード自動検出は、特定のプリアンブルフィールドの変調に基づいて行われる。図３０Ａ及び図３０Ｂには、このような一実施形態に係る、制御モードプリアンブル３０００及び通常モードデータプリアンブル３０５０が示されている。制御モードプリアンブル３０００は、ショートトレーニングフィールド（ＳＴＦ）３００２、ロングトレーニングフィールド（ＬＴＦ）３００４、第１信号フィールド（ＳＩＧ１）３００６、及び、第２信号フィールド（ＳＩＧ２）３００８を含む。同様に、通常モードプリアンブル３０５０は、ショートトレーニングフィールド（ＳＴＦ）３０５２、ロングトレーニングフィールド（ＬＴＦ）３０５４、第１信号フィールド（ＳＩＧ１）３０５６、及び、第２信号フィールド（ＳＩＧ２）３０５８を含む。この実施形態では、制御モードプリアンブルＳＴＦフィールド３００２は、通常モードプリアンブルＳＴＦフィールド３０５２よりも長い。別の実施形態では、制御モードプリアンブルＳＴＦフィールド３００２は、通常モードプリアンブルＳＴＦフィールド３０５２と同じ長さである。同様に、実施形態に応じて、制御モードプリアンブルＬＴＦフィールド３００４は、通常モードプリアンブルＬＴＦフィールド３５０４よりも長い又は同じ長さを有する。
【０１５３】
図３０Ａ及び図３０Ｂに示すように、２つの制御モードプリアンブル信号フィールドはそれぞれ、ブロックコーディングスキームのうちの一つ、又は、上記で説明した時間ドメイン繰り返しスキームを使用して生成される。その結果、この実施形態では、制御モードプリアンブルにおける各信号フィールド（ＳＩＧ１  ３００６及びＳＩＧ２  ３００８）は、２つのＯＦＤＭシンボルにわたり、通常モードプリアンブルにおける各信号フィールド（ＳＩＧ１  ３０５６及びＳＩＧ２  ３０５８）は、１つのＯＦＤＭシンボルにわたる。別の実施形態では、制御モード信号フィールド３００６及び３００８はそれぞれ、４つのＯＦＤＭシンボルにわたる、又は、その他の好適な数のＯＦＤＭシンボルにわたる。図３０Ａ及び図３０Ｂの実施形態では、通常モードプリアンブルの各信号フィールド（ＳＩＧ１  ３０５６及びＳＩＧ２  ３０５８）は、ＱＰＳＫ変調を使用して変調される。制御モードプリアンブルの第１信号フィールドの第２シンボルは、ロングトレーニングフィールドの後に通常モードプリアンブルの第２信号フィールドと同時に受信され、ＢＰＳＫ変調を使用して変調される。したがって、この実施形態では、受信装置は、データユニットが、制御モードに対応するか又は通常モードに対応するかを、ＬＴＦフィールドの後の第２ＯＦＤＭシンボルの変調に基づいて、自動検出することができる。別の実施形態では、第１信号フィールドの第１ＯＦＤＭシンボルが、通常モードプリアンブルの信号フィールドの変調に使用された変調技術とは異なる変調技術に従って、変調される。
【０１５４】
図３１Ａ及び図３１Ｂには、別の実施形態に係る、制御モードプリアンブル３１００及び通常モードプリアンブル３１５０がそれぞれ示されている。この実施形態では、データユニットは、短距離通信プロトコル混合モードプリアンブル形式（例えば、図９のデータユニット９００）に従って生成され、モード自動検出は、制御モードプリアンブルＬＳＩＧフィールド３１０６に対応する変調技術（本実施形態では、ＱＰＳＫ）及び通常モードプリアンブルＬＳＩＧフィールド３１５６（本実施形態では、ＢＰＳＫ）に対応する変調技術に基づいて行われる。
【０１５５】
図３２Ａ及び図３２Ｂには、別の実施形態に係る、制御モードプリアンブル３２００及び通常モードプリアンブル３２５０がそれぞれ示されている。図示の実施形態では、通常モードデータユニットは、短距離通信プロトコル・グリーンフィールドプリアンブル形式（例えば、ＩＥＥＥ８０２．１１ｎ規格グリーンフィールドプリアンブル形式）を使用して生成され、制御モードデータユニットは、上記で説明したブロック符号化又は繰り返しスキームを利用したＩＥＥＥ８０２．１１ａ規格プリアンブルを使用して生成される。この実施形態では、モード自動検出は、制御モードプリアンブルＬＳＩＧフィールド３２０６（本実施形態では、ＢＰＳＫ）に対応する変調技術及び通常モードプリアンブルＨＴＳＩＧフィールド３２５６（本実施形態では、ＱＰＳＫ）に対応する変調技術に基づいて行われる。
【０１５６】
図３３Ａ及び図３３Ｂには、別の実施形態に係る、制御モードプリアンブル３３００及び通常モードプリアンブル３３５０がそれぞれ示されている。図示の実施形態では、通常モードプリアンブル３３５０は、通常モードプリアンブル３３００よりも多い、ロングトレーニングシーケンスの繰り返しを含む。具体的には、この実施形態では、通常モードプリアンブル３３００は、ロングトレーニングシーケンス３３０４の繰り返しを２回含み、制御モードプリアンブル３３５４は、ングトレーニングシーケンス３５５４の繰り返しを３回以上含む。したがって、この実施形態では、通常モードプリアンブルの信号フィールド３３０６は、制御モードプリアンブルの第３ＬＴＳ３５５４−３と（そのプリアンブルの開始点について）同じ時点で受信される。図示の実施形態では、信号フィールド３３０６は、ＱＢＰＳＫ変調を使用して変調され、ＬＴＳ３５５４−４は、ＢＰＳＫ変調を使用して変調され、受信機が、異なる変調技術に基づいてモードを自動検出できるようになっている。
【０１５７】
図３３Ｃには、別の実施形態に係る別の制御モードプリアンブル３３７０が示されている。制御モードプリアンブル３３７０は、図３３Ｂの制御モードプリアンブル３３５０と同様であるが、ロングトレーニングシーケンスの繰り返しの前に、ガードインターバルが挿入されている。一実施形態では、上記のような場合、図３３Ａ及び図３３Ｂを参照して説明したのと同じモード自動検出スキームを使用して、通常モードプリアンブル３３００と制御モードプリアンブル３３７０とを区別することができる。
【０１５８】
図３４Ａ及び図３４Ｂには、別の実施形態に係る、制御モードプリアンブル３４００及び通常モードプリアンブル３４５０がそれぞれ示されている。この実施形態では、制御モードプリアンブル３４５０は、通常モードプリアンブル３４００のショートトレーニングシーケンスの継続期間とは異なる期間を有するショートトレーニングシーケンスを含み、また、図３３Ｂの制御モードプリアンブル３３５０又は図３３Ｃの制御モードプリアンブル３３７０と同様に、より多くのロングトレーニングシーケンスを含む。図に示すように、本実施形態のモード自動検出は、図３３Ａから図３３Ｃを参照して上記で説明した態様で、信号フィールド３４０８の変調及びロングトレーニングシーケンス３４５４−３に基づいて行われる。
【０１５９】
図３５は、一実施形態に係る、データユニットを生成する方法の一例３５００のフローチャートである。図１に示すように、方法３５００は、一実施形態では、ネットワークインターフェース１６によって実装される。例えば、このような一実施形態では、ＰＨＹ処理ユニット２０は、方法３５００を実装するように構成される。別の実施形態では、ＭＡＣ処理ユニット１８は、方法３５００の少なくとも一部を実装するのように構成される。図１に示すように、別の実施形態では、方法３５００は、ネットワークインターフェース２７によって実装される（例えば、ＰＨＹ処理ユニット２９及び／又はＭＡＣ処理ユニット２８）。別の実施形態では、方法３５００は、別の好適なネットワークインターフェースによって実装される。
【０１６０】
ブロック３５０２において、データユニットに含めるべき情報ビットが、ブロック符号に従ってエンコードされる。一実施形態では、情報ビットは、例えば、図１５Ａのブロック符号化ユニット１５０４で説明したようなブロックレベル又はビットレベル繰り返しスキームを使用して、エンコードされる。ブロック３６０４において、例えば、図１５ＡのＢＣＣエンコーダ１５０６のような又は図１５ＢのＬＤＰＣエンコーダ１５５６のようなＦＥＣエンコーダを使用して、情報ビットがエンコードされる。ブロック３５０６において、情報ビットが、コンスタレーションシンボルにマッピングされる。ブロック３５０８において、複数のＯＦＤＭシンボルがコンスタレーションポイントを含めるように生成される。そして、ブロック３５１０において、ＯＦＤＭシンボルを含めるようにデータユニットが生成される。
【０１６１】
一実施形態では、図３５に示すように、情報ビットはまず、ブロックエンコーダを使用してエンコードされ（ブロック３５０２）、ブロック符号化されたビットが、例えば、図１５Ａを参照して上記で説明したように、ＢＣＣエンコーダを使用してエンコードされる（ブロック３５０４）。別の実施形態では、ブロック３５０２とブロック３５０４の順番が反対になる。この実施形態では、情報ビットはまず、ＢＣＣ符号化されて、ＢＣＣ符号化された情報ビットが、例えば、図１８Ａを参照して説明したように、ブロック符号化スキームに従ってエンコードされる。更に別の実施形態では、ブロック３５０２は、ブロック３５０６の後に位置する。この実施形態では、ブロック３５０４において、情報ビットがＢＣＣ符号化され、ブロック３５０６において、ＢＣＣ符号化されたビットが、コンスタレーションシンボルにマッピングされ、ブロック３５０２において、コンスタレーションシンボルが、例えば、図１９Ａを参照して上記で説明したようなブロック符号化又は繰り返しスキームに従ってエンコードされる。
【０１６２】
図３６は、一実施形態に係る、データユニットを生成する方法の一例３６００のフローチャートである。図１に示すように、方法３６００は、一実施形態では、ネットワークインターフェース１６によって実装される。例えば、このような一実施形態では、ＰＨＹ処理ユニット２０は、方法３６００を実装するように構成される。別の実施形態では、ＭＡＣ処理ユニット１８は、方法３６００の少なくとも一部を実装するのように構成される。図１に示すように、別の実施形態では、方法３６００は、ネットワークインターフェース２７によって実装される（例えば、ＰＨＹ処理ユニット２９及び／又はＭＡＣ処理ユニット２８）。別の実施形態では、方法３６００は、別の好適なネットワークインターフェースによって実装される。
【０１６３】
ブロック３６０２において、第１データユニットの第１プリアンブルが生成される。一実施形態において、通常モードプリアンブルが生成される。一実施形態において、例えば、図３０Ｂの通常モードプリアンブル３０５０又は図３３Ａの通常モードプリアンブル３３００が生成される。別の実施形態では、別の好適な形式に従うプリアンブルが生成される。一実施形態では、第１プリアンブルは、ロングトレーニングフィールド及び信号フィールドを含む。信号フィールドは、ある変調技術に従って変調される（例えば、ＢＰＳＫ、ＱＰＳＫ又は別の好適な変調技術）。
【０１６４】
ブロック３６０６において、第２データユニットが、第２データユニット形式（例えば、通常モードデータユニット）に従って生成される。
【０１６５】
ブロック３６０６において、第２プリアンブルが生成される。一実施形態において、制御モードプリアンブルが生成される。例えば、図３０Ａの制御モードプリアンブル３０５０、図３３Ｂの制御モードプリアンブル３３５０、又は、図３３Ｃの制御モードプリアンブル３３７０が生成される。別の実施形態では、別の好適な形式に従うプリアンブルが生成される。一実施形態では、第２プリアンブルは、例えば、図１６Ａの信号フィールド１６００、図１７Ｃの信号フィールド１７００、若しくは、図１７Ｃの信号フィールド１７８０、又は、別の好適な信号フィールドのような、制御モード信号フィールドを含む。一実施形態において、第２信号フィールドが、第１信号フィールドの形式に従って、及び、上記で説明した繰り返し又はブロック符号化スキームを使用して生成される。その結果、第２信号フィールドの期間は、第１信号フィールドの期間よりも長くなる。第２プリアンブルはまた、長いトレーニングシーケンスの複数の繰り返しを含む第２ロングトレーニングフィールドを含む。ある実施形態では、ロングトレーニングシーケンスの繰り返しの回数は、（ブロック３６０２で生成された）第１ロングトレーニングフィールドにおけるロングトレーニングシーケンスの繰り返しの回数よりも多い。
【０１６６】
一実施形態において、第２信号フィールドの一部は、第１信号フィールド（ブロック３６０２において）の生成に使用された変調技術とは異なる変調技術に従って変調され、受信機は、第２データユニット（例えば、制御モードデータユニット）が第２データユニット形式（例えば、制御モードデータユニット形式）に従ってフォーマットされることを自動検出することができる。別の実施形態では、第２ロングトレーニングフィールドが、（ブロック３６０２において）第１信号フィールドの生成に使用された変調技術とは異なる変調技術に従って変調されるので、受信機は、第２データユニット（例えば、制御モードデータユニット）が第２データユニット形式（例えば、通常モードデータユニット形式）に従ってフォーマットされていることを自動検出することができる。
【０１６７】
ブロック３６０６において、第２データユニットが、第２データユニット形式（例えば、制御モードデータユニット）に従って生成される。
【０１６８】
上記で説明した様々なブロック、オペレーション及び技術の少なくとも一部は、ハードウェア、ファームウェア命令を実行するプロセッサ、ソフトウェア命令を実行するプロセッサ又はこれらの組み合わせを使用して実装されてもよい。ソフトウェア命令又はファームウェア命令を実行するプロセッサを利用して実装される場合、ソフトウェア命令又はファームウェア命令は、磁気ディスク、光ディスクのようなコンピュータ可読メモリ、又は、ＲＡＭ又はＲＯＭ又はフラッシュメモリ内のその他の記憶媒体、プロセッサ、ハードディスクドライブ、光ディスクドライブ、テープドライブ等に格納されてもよい。同様に、ソフトウェア命令又はファームウェア命令は、周知の任意の又は所望の供給方法、例えば、コンピュータ可読ディスク又はその他の可搬コンピュータ記憶メカニズムにより、又は、通信媒体を介して、ユーザ又はシステムに供給されてもよい。通信媒体は、典型的には、コンピュータ可読命令、データ構造、プログラムモジュール、又は、搬送波のような変調データ信号又はその他の搬送メカニズムにおけるその他のデータの形態で具現化される。"変調されたデータ信号"とは、信号における情報を符号化するような態様で設定又は変更された性質の１以上を有する信号を意味する。例えば、これに限定されないが、通信媒体とは、有線ネットワーク又は直接有線接続された接続のような有線媒体、及び、音波、無線周波数、赤外のような無線媒体及びその他の無線媒体を含む。そして、ソフトウェア命令又はファームウェア命令は、電話回線、ＤＳＬ回線、ケーブルテレビ回線、光ファイバー回線、無線通信チャネル、インターネット等（これらは、可搬記憶媒体を介したソフトウェアによる提供と同様又は交換可能と見なされる）のような通信チャネルを介して、ユーザ又はシステムに提供される。ソフトウェア命令又はファームウェア命令は、プロセッサによって実行されるとプロセッサに様々な動作を行わせる機械可読命令を含んでもよい。
【０１６９】
ハードウェアに実装される場合、個別部品、集積回路、特定用途向け集積回路（ＡＳＩＣ）、等の１以上を含んでもよい。
【０１７０】
本発明が、特定の例を参照して説明されたが、これは例示を目的としており、本発明を限定することを目的としていない。本発明の範囲内において、開示された実施形態に様々な変更、付加及び削除を行うことができる。
【図１】
2014506088.tif 000005
【図２Ａ】
2014506088.tif 000006
【図２Ｂ】
2014506088.tif 000007
【図３】
2014506088.tif 000008
【図４】
2014506088.tif 000009
【図５】
2014506088.tif 000010
【図６】
2014506088.tif 000011
【図７】
2014506088.tif 000012
【図８】
2014506088.tif 000013
【図９】
2014506088.tif 000014
【図１０】
2014506088.tif 000015
【図１１】
2014506088.tif 000016
【図１２】
2014506088.tif 000017
【図１３】
2014506088.tif 000018
【図１４】
2014506088.tif 000019
【図１５Ａ】
2014506088.tif 000020
【図１５Ｂ】
2014506088.tif 000021
【図１６Ａ】
2014506088.tif 000022
【図１６Ｂ】
2014506088.tif 000023
【図１７Ａ】
2014506088.tif 000024
【図１７Ｂ】
2014506088.tif 000025
【図１７Ｃ】
2014506088.tif 000026
【図１７Ｄ】
2014506088.tif 000027
【図１８Ａ】
2014506088.tif 000028
【図１８Ｂ】
2014506088.tif 000029
【図１９Ａ】
2014506088.tif 000030
【図１９Ｂ】
2014506088.tif 000031
【図２０Ａ】
2014506088.tif 000032
【図２０Ｂ】
2014506088.tif 000033
【図２０Ｃ】
2014506088.tif 000034
【図２０Ｄ】
2014506088.tif 000035
【図２１】
2014506088.tif 000036
【図２２Ａ】
2014506088.tif 000037
【図２２Ｂ】
2014506088.tif 000038
【図２３】
2014506088.tif 000039
【図２４】
2014506088.tif 000040
【図２５Ａ】
2014506088.tif 000041
【図２５Ｂ】
2014506088.tif 000042
【図２５Ｃ】
2014506088.tif 000043
【図２６Ａ】
2014506088.tif 000044
【図２６Ｂ】
2014506088.tif 000045
【図２６Ｃ】
2014506088.tif 000046
【図２７Ａ】
2014506088.tif 000047
【図２７Ｂ】
2014506088.tif 000048
【図２８Ａ】
2014506088.tif 000049
【図２８Ｂ】
2014506088.tif 000050
【図２９Ａ】
2014506088.tif 000051
【図２９Ｂ】
2014506088.tif 000052
【図３０Ａ】
2014506088.tif 000053
【図３０Ｂ】
2014506088.tif 000054
【図３１Ａ】
2014506088.tif 000055
【図３１Ｂ】
2014506088.tif 000056
【図３２Ａ】
2014506088.tif 000057
【図３２Ｂ】
2014506088.tif 000058
【図３３Ａ】
2014506088.tif 000059
【図３３Ｂ】
2014506088.tif 000060
【図３３Ｃ】
2014506088.tif 000061
【図３４Ａ−３４Ｂ】
2014506088.tif 000062
【図３５】
2014506088.tif 000063
【図３６】
2014506088.tif 000064
【国際調査報告】
2014506088.tif 000065
2014506088.tif 000066
2014506088.tif 000067
2014506088.tif 000068
2014506088.tif 000069